(57)【特許請求の範囲】
【請求項１】
生きている被験対象の組織における潅流を処理装置による制御下で非侵襲的に定量する方法であって、
画像化造影剤の大部分の破壊の後の経時的な前記組織における画像化用造影剤の補充を示唆する振幅を有するエコー信号のシークエンスを供するステップと、
前記エコー信号と、パラメータを備えた時間に関するＳ形状関数とを関連付けるステップであって、前記Ｓ形状関数は、一定な初期値を有しかつ非ゼロの時間幅にわたり一次導関数がゼロである初期部、一定な最終値を有する最終部、および、前記初期部と前記最終部との間にあって前記Ｓ形状関数が前記初期値から前記最終値へと単調に変化する中央部とを含んでいる、ステップと、
前記Ｓ形状関数の少なくとも１つのパラメータの少なくとも１つの値と、局所的組織潅流値もしくは属性とを対応付けるステップとを有する方法。
【請求項２】
前記造影剤は、微小胞を有し、
前記微小胞は、音響エネルギを反射することができ、
前記エコー信号のシークエンスは、
超音波画像化装置の画像化面に超音波パルスを、前記画像化面に存在する前記微小胞の大部分を破壊するのに十分な大きさの音圧で与えるステップ、
前記画像化面に別の超音波パルスのシークエンスを、前記微小胞の大部分を維持するのに十分な小ささの音圧で与えるステップ、および、
所定の時間間隔の後で前記別の超音波パルスのシークエンスを与えるステップを繰り返し、前記別の超音波パルスによって前記面からもたらされた前記エコー信号を記録して前記時間間隔における前記画像化面での前記微小胞の補充をモニタするステップによって獲得される請求項１に記載の方法。
【請求項３】
前記Ｓ形状関数を関連付けるステップの前に、
前記エコー信号を処理して微小胞の局所的濃度に比例したエコー信号の振幅を作成するステップであって、作成された処理されたエコー信号は、前記画像化面内の位置における造影剤の濃度に比例している、ステップを有する請求項１または２に記載の方法。
【請求項４】
前記エコー信号は、前記エコー信号の前記振幅に比例した画像要素と関連付けられた２次元画像として獲得され、
前記処理は、前記エコー信号の線形化処理を含む請求項３に記載の方法。
【請求項５】
前記エコー信号は、超音波エコーの振幅に比例した前記振幅を有し、
前記処理は、前記エコー信号の線形化処理を含む請求項３に記載の方法。
【請求項６】
前記エコー信号は、高周波信号、または、復調高周波信号である請求項５に記載の方法。
【請求項７】
前記組織潅流値もしくは属性を、対応する組織画像内から選択された関心領域内で評価する請求項１ないし６のいずれか１つに記載の方法。
【請求項８】
前記潅流値もしくは属性は、個々の２次元画像要素を用いて評価され、
ピクセルのグレースケール輝度もしくはカラー・レンダリングによるパラメータ画像形式で観察モニタに表示され、
ここで、前記ピクセルのグレースケール輝度もしくはカラー・レンダリングは、個々の局所的に評価されたパラメータ値もしくはそれらの組み合わせに基づいてコード化される請求項１ないし７のいずれか１つに記載の方法。
【請求項９】
前記潅流値もしくは属性は、２次元画像要素群を用いて評価され、
前記群は、各画像要素群から各パラメータに関して１つの値が得られるように局所的画像解像度により決定される請求項１ないし８のいずれか１つに記載の方法。
【請求項１０】
前記潅流値もしくは属性は、画像要素群を用いて評価され、
前記画像要素群は、前記超音波画像化装置の超音波検査機器の局所的スペックル・パターンによって求まるサイズを有する請求項１ないし９のいずれか１つに記載の方法。
【請求項１１】
前記画像要素群の前記サイズは、局所的超音波検査画像の２次元空間フーリエ解析から決定され、
前記サイズの大きさは、局所的に存在する最大有意空間周波数に逆比例する請求項１０に記載の方法。
【請求項１２】
少なくとも１つの局所的組織灌流値が、平均遷移時間、平均速度、平均流量、および、潅流量のうちから選択される請求項１ないし１１のいずれか１つに記載の方法。
【請求項１３】
少なくとも１つの局所的組織灌流属性が、血流パターン、流れ分布の分散、および、流れの歪度のうちから選択される請求項１ないし１２のいずれか１つに記載の方法。
【請求項１４】
前記潅流値もしくは属性は、前記超音波パルスと、前記Ｓ形状関数が前記超音波パルスの適用の直前における前記造影剤の濃度の２分の１の前記造影剤の濃度と等価な値に達した瞬間との間の時間経過より評価される請求項１ないし１３のいずれか１つに記載の方法。
【請求項１５】
前記潅流値もしくは属性は、前記超音波パルスと、前記Ｓ形状関数が前記超音波パルスの適用の直前における前記造影剤の濃度の２分の１の前記造影剤の濃度と等価な値に達した瞬間との間の時間経過より評価され、
前記潅流値は、平均局所的血流速度であり、
前記平均局所的血流速度は、微小胞が破壊されたスライスの厚さの２分の１と、最大濃度の半分に到達する時間との比として表わされる請求項２に記載の方法。
【請求項１６】
前記微小胞が破壊された前記スライスの厚さは、前記適用された超音波パルスの前記画像化面に垂直な方向における幅の値から近似的に求める請求項１５に記載の方法。
【請求項１７】
前記超音波造影剤は、方法を実施する前に、静脈に連続的に注入することに適している請求項１ないし１６のいずれか１つに記載の方法。
【請求項１８】
前記超音波造影剤は、方法を実施する前に、局所的造影剤濃度が、前記超音波パルスの適用の直前の前記濃度の少なくとも２分の１に達するまで、数秒間、前記画像化領域に関し原則として一定値の局所的造影剤濃度で供されるように、静脈へ大量瞬時投与されることに適している請求項１ないし１６のいずれか１つに記載の方法。
【請求項１９】
前記Ｓ形状関数は、累積正規確率分布関数、シグモイド関数、または、累積正規確率分布関数の多項式近似である請求項１ないし１８のいずれかに記載の方法。
【請求項２０】
前記Ｓ形状関数は、多項式形式による限定的展開を含むパラメータ式、もしくは、累積対数正規確率分布関数のパラメータ式である請求項１９に記載の方法。
【請求項２１】
前記Ｓ形状関数は、流速もしくは遷移時間の対数正規確率分布により重み付けられた累積正規確率分布関数の総和もしくは積分を含むパラメータ式であり、
前記Ｓ形状関数は、組織潅流に関する物理量を表わす最適フィット・パラメータ値を有する請求項１９に記載の方法。
【請求項２２】
前記エコー信号は、前記Ｓ形状関数に関連付けされる前に、平滑化関数を用いた処理を施される請求項１ないし２１のいずれか１つに記載の方法。
【請求項２３】
前記エコー信号は、ウェーブレットで分解する手法で解析され、異なる流れ遷移時間もしくは速度における寄与の分布が評価される請求項１ないし２２のいずれか１つに記載の方法。
【請求項２４】
前記局所的濃度に比例したエコー信号は、前記ウェーブレットで分解する手法で解析される前に、２回、微分される請求項２３に記載の方法。
【請求項２５】
前記分解に用いるマザー・ウェーブレットは、単一の流れ値に対するＳ形状関数を記述するために用いた累積正規分布関数の２次時間導関数である請求項２４に記載の方法。
【請求項２６】
前記エコー信号を解析して異なる流れ遷移時間もしくは速度における寄与の分布を評価し、
前記解析は、
流れ遷移時間もしくは速度の第１セットを選択するステップ、および、
複数のＳ形状関数の線形結合で前記エコー信号を最適フィットして第１評価を求めるステップを有する請求項１ないし２１のいずれか１つに記載の方法。
【請求項２７】
流れ遷移時間もしくは速度の前記第１セットは、４ないし１６個のＳ形状関数の線形結合より求められる請求項２６に記載の方法。
【請求項２８】
前記解析はさらに、
前記第１評価を前記第２セットを決定するための基準として用いて流れ遷移時間もしくは速度の第２セットを定める第２評価を行うステップを有する請求項２６または２７に記載の方法。
【請求項２９】
流れ遷移時間もしくは速度の前記第２セットは、８ないし６４個のＳ形状関数の線形結合より求められる請求項２８に記載の方法。
【請求項３０】
前記第２評価を用いて、第３評価を行うための初期値セットを求める請求項２８または２９に記載の方法。
【請求項３１】
前記第２評価は、３次スプライン補外を用いて行われる請求項２８ないし３０のいずれか１つに記載の方法。
【請求項３２】
前記第３評価は、ニューラル・ネットワーク解析を用いて行われる請求項２８ないし３１のいずれか１つに記載の方法。
【請求項３３】
前記ニューラル・ネットワークは、前記流れ遷移時間もしくは速度に対する複数の重み、ならびに、前記重み付けされた流れ遷移時間もしくは速度に対するバイアス値で定められ、
前記第３評価は、
前記バイアス値および前記重みを反復的に調整するステップと、
前記バイアス値および負の重みをゼロに定期的にリセットするステップとを有する請求項３２に記載の方法。
【請求項３４】
前記リセットするステップは、１０ないし２００回のイタレーション回数に等しい周期で行われる請求項３３に記載の方法。
【請求項３５】
前記第１評価は、高々８個のＳ形状関数を用いて行われる請求項２６ないし３４のいずれか１つに記載の方法。
【請求項３６】
前記第２評価は、少なくとも１６個の流れ遷移時間もしくは速度を含むセットを用いて行われる請求項３５に記載の方法。
【請求項３７】
データ処理システムのワーキング・メモリにロード可能であって、プロセッサによって実行されることで請求項１乃至３６のいずれか１つに記載の方法を実行する、プログラムを実装したコンピュータ読取り可能媒体。
【請求項３８】
生きている被験対象の組織における潅流の非侵襲的定量システムであって、
画像化造影剤の大部分の破壊の後の経時的な前記組織における画像化用造影剤の補充を示唆する振幅を有するエコー信号のシークエンスを供する手段と、
前記エコー信号と、パラメータを備えた時間に関するＳ形状関数とを関連付ける手段であって、前記Ｓ形状関数は、一定な初期値を有しかつ非ゼロの時間幅にわたり一次導関数がゼロである初期部、一定な最終値を有する最終部、および、前記初期部と前記最終部との間にあって前記Ｓ形状関数が前記初期値から前記最終値へと単調に変化する中央部とを含んでいる、手段と、
前記Ｓ形状関数の少なくとも１つのパラメータの少なくとも１つの値と、局所的組織潅流値もしくは属性とを対応付ける手段とを有するシステム。
【請求項３９】
前記造影剤は、微小胞を有し、
前記微小胞は、音響エネルギを反射することができ、
前記エコー信号のシークエンスを供する手段は、
超音波画像化装置の画像化面に超音波パルスを、前記画像化面に存在する前記微小胞の大部分を破壊するのに十分な大きさの音圧で与える手段、
前記画像化面に別の超音波パルスのシークエンスを、前記微小胞の大部分を維持するのに十分な小ささの音圧で与える手段、および、
所定の時間間隔の後で前記別の超音波パルスを与え、前記画像化面からもたらされた前記エコー信号を記録して前記所定の時間間隔の後における前記画像化面での前記微小胞の補充をモニタする手段を有する請求項３８に記載のシステム。
【請求項４０】
さらに、前記Ｓ形状関数を関連付ける前に、前記エコー信号を処理して微小胞の局所的濃度に比例したエコー信号の振幅を作成する手段を備え、
処理された前記エコー信号は、前記画像化面内の位置における造影剤の濃度に比例している請求項３８または３９に記載のシステム。
【請求項４１】
請求項３８ないし４０のいずれか１つに記載のシステムで用いる装置であって、
前記エコー信号を入力する手段と、
前記エコー信号と、パラメータを備えた時間に関するＳ形状関数とを関連付ける前記手段と、
前記対応付けるための前記手段とを有する装置。
【発明の詳細な説明】
【技術分野】
【０００１】
本発明は、ガス充填微小胞の破壊／補充モニタリングを含む処理過程における血流評価手法に関する。ここでは、流れのパラメータは、補充の動力学を分析することで導出される。より具体的には、本発明は、生きている被験対象の組織における潅流の非侵襲的評価法に関する。また、本発明は、本方法を実施するコンピュータ・プログラム、および、当該プログラムを具現化した製品に関する。なおさらに、本発明は、潅流の非侵襲的定量のシステム、および、当該システムで使用する装置に関する。
【背景技術】
【０００２】
キャリア液において、効率的な超音波反射体として気泡浮遊液を用いることは、当該分野において周知である。超音波画像化を向上させる手段としてのこれら浮遊液の研究開発は、気泡となって溶解ガスが溶液から現われる程の、急速な静脈注射を観察した初期の観測に端を発する。血液に対し、気泡は著しく異なる音響インピーダンスを有するが故、血管内の気泡が、優れた超音波の反射体となることが見出されている。キャリア液に含めた気泡浮遊液を生きた生物体内へ注入することにより超音波検査の画像化能は目覚ましく強化され、よって内部器官の可視化能を向上させる。器官および深部にある組織の画像化が医学的診断を固める上で重要な場合もあって、これまでにも調製および投与が簡便で、最小限の不活性種を含み、かつ、長期保存および配給容易な、気泡を高濃度で含む安定な浮遊液（懸濁液）の開発に多大な努力が払われてきた。
【０００３】
だが、水溶性媒体における自由な気泡の単純な分散についての実用上の関心は低い。なぜなら、これらの気泡は一般に、超音波造影剤として有用なほどに安定ではないからである。
【０００４】
したがって、関心は、超音波診断や、その他の超音波による調査用に、気泡を安定化させる手法に注がれてきた。それらは例えば、乳化剤、油、増粘剤、もしくは糖を用い、また、いろいろなシステムにおいて、気体もしくはその前駆物質を同調させ（添加し）たり、カプセル化したりしている。このような安定化された気泡は、本分野では、一般に「微小胞」と称しており、これは大別すれば２つの主要カテゴリに分類される。安定化気泡即ち微小胞の第１のカテゴリは、本分野では、一般に「微小気泡」と称しており、これには、界面活性剤（つまりは、両親媒性物質）を有する非常に薄い包膜をその気液界面に備える気泡を含んだ水性浮遊液（懸濁液）が含まれる。微小胞の第２のカテゴリは、本分野では、一般に「マイクロバルーン」もしくは「マイクロカプセル」と称しており、これには、天然由来もしくは合成によるポリマーで形成した固体物質包膜で周囲を取り囲まれた気泡を含む浮遊液（懸濁液）が含まれる。これらとは別種の超音波造影剤としては、ポリマーまたはその他の固体からなる多孔性微粒子の浮遊液（懸濁液）がある。これは、微粒子の細孔（ポア）に気泡を捕捉し、気泡を輸送する。
【０００５】
本発明は、これに限定されないが、特に、潅流、破壊、および、超音波造影剤（ＵＣＡ）の補充をモニタリングすることを包含する技術を活用するための、ガスの微小気泡を含んだ水性浮遊液（懸濁液）を含めた超音波造影剤（ＵＣＡ）の使用と関連性を有する。ガス充填マイクロバルーンを本願の方法で用いることも好都合である。
【０００６】
一般に、微小気泡は、本質的に、両親媒性物質の層によって安定化された、ガスが充填された微小胞と定義される。微小気泡の水性浮遊液（懸濁液）は、一般には、粉末状両親媒性物質、例えば凍結乾燥したリポソームまたは凍結乾燥もしくは吹き付け乾燥したリン脂質溶液、を、空気またはその他の気体と接触させ、そして水性キャリアと接触させ、それから撹拌して微小気泡浮遊液（懸濁液）を作成することで調製され、また調製された後は直ぐに投与する必要がある。
【０００７】
特許文献１（ＥＰ０４５８７４５）、特許文献２（ＷＯ９１／１５２４４）、特許文献３（ＥＰ０５５４２１３）、特許文献４（ＷＯ９４／０９８２８）、特許文献５（ＷＯ９５／１６４６７）は、ガスを充填した微小胞、特に微小気泡およびマイクロバルーン、を含む水性浮遊液（懸濁液）、ならびに、その調製法の例を開示する。
【０００８】
１９９８年、研究者は、超音波画像化機器の作る画像面から、破壊の後の、微小気泡をベースにした超音波造影剤（ＵＣＡ）の補充の速度（比率）をモニタすることを提案した（非特許文献１）。微小気泡の破壊の可能性は、局所的に、本質としては、画像面に対し、薬剤の所謂「負の大量瞬時投与（ネガティブ−ボーラス）」を与える効果をもたらす。これが起こらなければ、器官内においては原則として測定期間中ずっと、一定の薬剤の潅流がある。連続的な（換言すれば、所謂「リアルタイムの」）または間欠的（断続的）な（換言すればトリガーによる）画像化において、画像面でのＵＣＡの再潅流の測度（比率）を観察すれば、その器官の潅流、換言すれば局所的な流れのパラメータの評価が可能である。
【０００９】
この手法は、広範多岐にわたって用いられ、様々な出版物で常に報告がなされている。それらは、補充の映像や時間の関数であるドップラー信号を、一区画分の容積内の指標の希釈に関する動力学を記述する数式（増加型の単一の指数関数の形式の数式）を用いて最適フィットしている。以下の出版物例を参照されたい。
【００１０】
非特許文献２の図８は、単一の指数関数でフィットした、パルス間隔に対する映像強度（輝度）の関係を示している。
【００１１】
非特許文献３の図２は、パルス間隔に対する映像強度（輝度）の、単一の指数関数的な関係性を示している。
【００１２】
非特許文献４の論文は、生理学的に異なる流れの条件に対する別種の再潅流濃度対時間の曲線について議論している。
【００１３】
非特許文献５の図２および図３は、単一の指数関数でフィットした、時間に対する音響強度をプロットする。ここでは、記録されたデータは、薬剤の濃度に比例している。
【００１４】
非特許文献６は、造影剤の補充について分析し、さらに、ウェイら(Wei et al.)の導入した単一指数関数を用いた非線形曲線によるフィッティングを行っている。
【００１５】
非特許文献７の図７は、「１相指数結合方程式」("1-phase exponential association equation")を用いて、時間に対する映像強度（輝度）の曲線をフィットしている。
【００１６】
特許文献６（ＷＯ０２／１０２２５１）は、微小気泡の破壊／補充について記載し、また、その図２ｂにおいて、時間に対する微小血管の映像強度（輝度）に関する単一指数関数が示されている。これによれば、微小血管の流れの強さは、単一指数関数の初期の傾きに対する正接として表される。また、図２ｃにおいて、パルス間隔に対する映像強度に関する単一指数関数が示されている（間欠モード）。
【００１７】
本願の発明者は、先行する発見的手法で得られた結果は有望なものであると見ている。なぜなら、エコー信号を観測者に対して映像信号の形式で供する前は、あらゆるエコー画像化機器においてエコー信号は強度の非線形圧縮（対数圧縮とも称する。）を受けているからである。よって、単一指数関数(monoexponential function)で映像データをフィッティングすることにより、実際的な局所的な器官の潅流に関連した流れの評価を行うことが可能である。これについて、これまでのところ、満足のいく結果が得られている。
【００１８】
しかし、本願の発明者は、周知の手法は、受信器のゲインや、対数圧縮、等といった、使用者が選択する機器設定に対し非常に敏感であると考えている。さらに、抽出されるパラメータは、機器の種類毎に固有のものがあり、異なる設備または設定を使用する研究者間での比較が困難である。また、現在の先端的手法により抽出される潅流のパラメータは、相対評価である。よって、流れのパラメータの絶対的定量評価に不適である。
【特許文献１】欧州特許出願公開第０４５８７４５号明細書
【特許文献２】国際公開第９１／１５２４４号パンフレット
【特許文献３】欧州特許出願公開第０５５４２１３号明細書
【特許文献４】国際公開第９７／０９８２９号パンフレット
【特許文献５】国際公開第９５／１６４６７号パンフレット
【特許文献６】国際公開第０２／１０２２５１号パンフレット
【非特許文献１】ウェイ、Ｋ．、ジャヤウィーラ、Ａ．Ｒ．、フィルーザン、Ｓ．、リンカ、Ａ．、スカイバ、Ｄ．Ｍ．、およびカウル、Ｓ．(Wei, K., Jayaweera, A. R., Firoozan, S., Linka, A., Skyba, D. M., and Kaul, S.)  「クアンティフィケーション・オブ・マイオカーディアル・ブラッド・フロウ・ウイズ・ウルトラサウンド−インデュースド・デストラクション・オブ・マイクロバブルズ・アドミニスタード・アズ・ア・コンスタント・ベーナス・インフュージョン」("Quantification of Myocardial Blood Flow With Ultrasound-Induced Destruction of Microbubbles Administered as a Constant Venous Infusion")、  サーキュレーション(Circulation)、巻９７、１９９８
【非特許文献２】Ｋ．ウェイ(K. Wei)、  ディテクション・アンド・クアンティフィケーション・オブ・コロナリー・ステノシス・セビリティ・ウイズ・マイオカーディアル・コントラスト・エコーカーディオグラフィ(Detection and Quantification of Coronary Stenosis Severity With Myocardial Contrast Echocardhiography)、  プログレス・イン・カーディオバスキュラー・ディジーゼズ(Progress in Cardiovascular Diseases)、４４（１）、２００１、８１−１００
【非特許文献３】ケビン・ウェイ、エリザベス・レ、ジャン−ピン・ビン、マシュー・コギンス、ジェレール・ソープ、サンジフ・カウル(Kevin Wei, Elizabeth Le, Jian-Ping Bin, Matthew Coggins, Jerrel Thorpe, Sanjiv Kaul)、  クアンティフィケーション・オブ・レナル・ブラッド・フロウ・ウイズ・コントラスト−エンハンスド・ウルトラサウンド(Quantification of Renal Blood Flow With Contrast-Enhanced Ultrasound)、  Ｊ．Ａｍ  Ｃｏｌｌ  Ｃａｒｄｉｏｌ、３７、２００１、１１３５−４０
【非特許文献４】カルチャクジャン、Ｒ．、バーンズ、Ｐ．Ｎ．、およびヘンケルマン、Ｍ．(Kharchakdjian, R., Burns, P. N., and Henkelman, M.)、  フラクタル・モデリング・オブ・マイクロバブル・デストラクション−リパーフュージョン・イン・アンリゾルブド・ベッセルズ(Fractal Modeling of Microbubble Destruction-Reperfusion in Unresolved Vessels)、  ＩＥＥＥ  ウルトラソニックス・シンポジウム(IEEE Ultrasonics Symposium)、２００１
【非特許文献５】リム、Ｓ．−Ｊ．、レオン−ポイ、Ｈ．、リンドナー、Ｊ．Ｒ．、カウンチャー、Ｄ．、エレガーラ、Ｄ．、マッソン、Ｈ．、デュリウ、Ｍ、カッセ、Ｎ．Ｆ．およびカウル、Ｓ．(Rim, S.-J., Leong-Poi, H., Lindner, J.R, Counture, D., Ellegala, D., Masson, H., Durieux, M, Kasse, N.F. and Kaul S.)、  クアンティフィケーション・オブ・セレブラル・パーフュージョン・ウイズ・リアル−タイム・コントラスト−エンハンスド・ウルトラサウンド(Quantification of Cerebral Perfusion with Real-Time Contrast-Enhanced Ultrasound)、  サーキュレーション(Circulation)、巻１０４、２００１、２５８２−２５８７
【非特許文献６】シュロッサーら(Schlosser et al.)、  フィーシビリティ・オブ・ザ・フラッシュ−リプレニッシュメント・コンセプト・イン・レナル・ティシュー：ウィッチ・パラメーターズ・アフェクト・ジ・アセスメント・オブ・ザ・コントラスト・リプレニッシュメント？(Feasibility of the Flash-Replenishment Concept in Renal Tissue: Which Parameters Affect the Assessment of the Contrast Replenishment?)、  ウルトラサウンド・イン・Ｍｅｄ．＆  Ｂｉｏｌ．(Ultrasound in Med. & Biol.)、巻２７、２００１、頁９３７−９４４
【非特許文献７】マーシー、ＴＨ、Ｌｉ、Ｐ、ロクビッキオ  Ｅ、バイシュ  Ｃ、ダイリワラ  Ｉ、アームストロング  ＷＦ、バナン  Ｍ．(Murthy TH, Li P, Locvicchio E, Baisch C, Dairywala I, Armstrong WF, Vannan M.)、  リアル−タイム・マイオカーディアル・ブラッド・フロウ・イメージング・イン・ノーマル・ヒューマン・ビーイングス・ウィズ・ザ・ユース・オブ・マイオカーディアル・コントラスト・エコーカーディオグラフィ(Real-Time Myocardial Blood Flow Imaging in Normal Human Beings with the use of Myocardial Contrast Echocardiography)  Ｊ  Ａｍ  Ｓｏｃ  Ｅｃｈｏｃａｒｄｉｏｇｒ、１４（７）、２００１、６９８−７０５
【発明の開示】
【発明が解決しようとする課題】
【００１９】
本願発明は、先述の指標希釈の理論(the indicator-dilution theory)より導出される数式（所謂、単一指数関数）が、画像面もしくは断層撮影のスライスにおける破壊の後のＵＣＡの再潅流の動力学を正しく記述していない、という事実に端を発し成された。
【００２０】
本発明は、新しい手法を提示することにより上述の問題を解決する。本手法は、原則的には使用者および機器に依存する流れのパラメータ評価について、純然たる物理学上の術語による物理学的意味を与える。
【課題を解決するための手段】
【００２１】
本発明は、ある態様においては、生きた被験対象の組織における潅流の非侵襲的定量方法を提供する。本方法は、先ず、エコー信号のシークエンスを供給するステップを実行する。このエコー信号のシークエンスは、組織内における画像化のための造影剤の補充を示唆するものである。パラメータを備えた時間に関するＳ形状関数（パラメトリックＳ形状関数）を、エコー信号と関連付ける（つまり、合致または関係付けさせる）。そして、Ｓ形状関数の１つもしくは複数のパラメータの少なくとも１つの値と、局所的組織潅流値（例えば平均速度、平均流量、潅流量）の少なくとも１つ、もしくは、属性（例えば、血流パターン）との対応付けを行う。
【００２２】
本願明細書および請求の範囲において定義される、Ｓ形状関数またはＳ形状特性を備えた関数は、実質的に一定な初期値を有する初期部と、実質的に一定な最終値を有する最終部と、初期部と最終部との間にあって初期値から最終値に向かってＳ形状関数が単調に変化する中央部とを含む数学的関数である。この関数は、その中央部において、二次導関数が少なくとも一度はゼロとなることが好ましい。また、このＳ形状関数は、その初期部および最終部において、一次導関数は原則としてゼロであることが好ましい。Ｓ形状関数の例としては、「誤差関数」、双曲正接、シグモイド関数、累積正規分布関数、累積対数正規分布関数、もしくはこれらの多項式近似がある。
【００２３】
本発明のある実施形態においては、造影剤は、音響エネルギを反射する能力を備えた微小胞を含む。エコー信号のシークエンスを供給するステップは、超音波画像化装置の画像化面（画像面）に超音波パルスを与えるステップを含み、この与えられる超音波パルスは、画像化面に存在する微小胞の大部分を破壊するに十分な大きさである。そして、別の超音波パルスのシークエンスが画像化面に与えられる。この、別の超音波パルスは、微小胞の大部分が保存（維持）される程度の小さな音圧を有する。この、別の超音波パルスのシークエンスを与えるステップは、所定の時間間隔(predetermined subsequent instants)で繰り返される。そして、この別の超音波パルスにより画像化面から発せられたエコー信号を記録し、先述の時間間隔毎の画像化面における微小胞の補充をモニタする。
【００２４】
別の向上点としては、エコー信号が、Ｓ形状関数を関連付けする前に、処理される点がある。特に、エコー信号は、微小胞の局所的濃度に比例して形成される。このようにして処理されたエコー信号は、画像化面内の位置における造影剤の濃度に比例するように形成される。超音波ビームの幾何形状およびＵＣＡの破壊の程度に基づいて、本発明は、その一実施形態においては、画像化面での平均流速と、定常状態のＵＣＡ濃度の２分の１に到達するために要する時間とを関係付けする。これは、先述のＳ形状関数の最適フィットより求められる。Ｓ形状潅流関数を、ＵＣＡにより生成されるエコー信号にフィットさせることが好ましい。エコー信号の瞬間振幅は、これらエコー信号を生成したＵＣＡの局所的濃度に比例する。この比例関係は、一般に、超音波分析から得た最終データを適切に線形化して求める。このデータは、通例、２種類存在する。第１種のデータは、「イメージ（画像）」と称され、アナログもしくはデジタルの映像信号、または、その他のグレースケールもしくはカラー化した振幅二次元マップ（２Ｄマップ）として表わされたエコー信号を含む。この信号は、生成されたエコー信号の、非線形ダイナミックレンジ圧縮（例えば、対数圧縮）が含まれる処理より得る。イメージ（画像）は、通例、所定の大きさを有するイメージ・エレメント（画像要素（ピクセル（画素）））を有する。第２種のデータは、「ロー（生の）」エコー信号と称され、超音波エコーの振幅に比例した振幅を有する信号を含み、この信号は、通例、超音波装置から直接的に得る高周波（ｒｆ）エコー信号である。
【００２５】
本願で使用する用語「線形化」または「線形化信号」は、超音波エコー信号を生成した局所的ＵＣＡの濃度と正比例する振幅を有するように処理した超音波エコー信号を指す。これは、ランダムに間隔をおいて存在する散乱体の集団による音響エネルギ散乱の性質を反映している。音圧に比例したｒｆ信号または復調ｒｆ信号を取り扱う場合、生のエコー信号の振幅を適切にスクエアリング(squaring)することで、線形化可能である。あるいは、対数圧縮したイメージ（画像）を取り扱う場合、各ピクセル（画素）の振幅値を適切に逆対数圧縮してスクエアリングすることで、線形化可能である。このようにして、処理された信号の振幅とＵＣＡ濃度との比例関係が求められる。
【００２６】
あるいは、「非−線形化」エコー・データ（例えば、イメージ）、換言すれば、局所ＵＣＡ濃度に比例しないデータに、Ｓ形状関数をフィットさせることもできる。この場合、非−線形化データにフィットさせるべく選択したＳ形状関数は、ＵＣＡ濃度とエコーデータとの間に非線形性を生じせしめた過程と同様の過程（例えば、Ｓ形状関数の平方根や対数圧縮）により修正される。
【００２７】
曲線フィッティングが実施されるエコー信号は、通例、超音波装置の画像化面に超音波パルスのシークエンスを与えることで得られる。そして、画像化面内の微小胞の補充のモニタリングは、画像化面に含まれる微小胞に由来する超音波エコー信号の振幅を（時間の関数として）記録することでなされる。
【００２８】
組織内での画像造影剤の補充を示唆するエコー信号シークエンスの供給工程は、以下のステップを含んでよい。
−ＵＣＡを一定的に器官もしくは関心領域に供給する、または、この破壊−補充方法に必要な数秒間の間、一定的であって十分なＵＣＡの潅流が可能な条件を満たすようにＵＣＡを大量瞬時投与（ボーラス）として注入する。
−ＵＣＡ破壊フレームの適用の直前の、関心領域のエコー信号を、微小胞の破壊が可能となる所定の閾より小さい音響エネルギで記録する。
−先述の所定の閾よりも大きくかつ画像化面に存在する微小胞のかなりの部分を破壊せしめるに足る音響エネルギを有する超音波パルスを用い、超音波画像化装置の画像化面にＵＣＡ破壊フレームを与える。
−ＵＣＡ破壊フレームを与えた直後の、関心領域のエコー信号を、先述の微小胞破壊閾よりも小さい音響エネルギで記録する。
【００２９】
以下のステップは、（例えば、上述の方法論により取得可能な、）組織内の画像造影剤の補充を示唆する、あらゆるエコー信号のシークエンスに対して実行可能である。以下のステップにより、組織の潅流パラメータを決定する。
−先述の信号を、局所的な基準についてＳ形状関数（例えば「誤差関数」のファミリー）に最適フィット評価する。この局所的基準は、使用者の選んだ関心領域（ＲＯＩ）の内部であってよく、その局所におけるピクセル単位のレベルで最適フィットを行い潅流パラメータ・イメージ（画像）を作成してもよいし、もしくは、コヒーレントなビームを使用して信号を得た場合であれば、超音波画像のスペックルの性状から定めるピクセル群のレベルで最適フィットを行ってもよい。
−Ｓ形状の特性を備えた関数の少なくとも１つのパラメータの少なくとも１つの値と、局所的組織潅流値（例えば平均遷移時間、平均速度、平均流量、潅流量）の少なくとも１つ、もしくは、属性（例えば、血流パターン、流れの分布の分散（バリアンス）(variance)もしくは歪度（スキューネス）(skewness)）との対応付けを行う。
【００３０】
上記の最適フィット評価を実行する前に、エコー信号を処理（例えば線形化）し、局所的なＵＣＡ濃度に比例した、処理したエコー信号を求め、ＵＣＡ濃度に比例したデータに対して最適フィットを実行することが好ましい。
【００３１】
Ｓ形状の特性を備えた関数のパラメータの値と局所的組織潅流値との対応付けの例としては、破壊フレームで破壊された区域（もしくはスライス）の厚さの半分(half-thickness)を局所的パラメータ・フィットで求まる平均遷移時間で割った比を計算し、平均流速を評価することが可能である。
【００３２】
別の例としては、最適フィットの値として得た振幅を、ひとたび目盛り付け（キャリブレート）(calibrate)した後は、分析している領域における血量に比例した量と解釈し、振幅と流速の積より流れの値を評価することに用いることができる。
【００３３】
さらなる別の例としては、異なる流れの寄与の分布（例えば、分散や歪度）の態様を、個々の潅流の関数の総和をモデル化した最適フィット値より求めてもよい。
【００３４】
これらの流れのパラメータの評価は、用いた関心領域（ＡＯＩ）内に表示してもよいし、または、パラメータ・イメージの形式で二次元マップとして表示してもよい。
【００３５】
上述の方法論で求めるＳ形状関数を用い、（例えば、別々の毛細血管における）遷移時間や再潅流での微小胞の速度の確率密度分布を評価することもできる。
【００３６】
このため、本発明のある実施形態においては、Ｓ形状関数を、ウェーブレットに分解する手法により解析する。
【００３７】
ウェーブレットに分解する手法を用いて解析を行う前に、局所的濃度に比例したエコー信号を２度微分することが好ましい。
【００３８】
上記の分解に用いるマザー・ウェーブレットを定めるために、単一の流れの値のためのＳ形状関数を記述するのに用いた累積正規分布関数の二次導関数を利用してよい。
【００３９】
ある別の実施形態においては、エコー信号を、１つまたは複数のステップからなる処理により分析し、異なる流れの遷移時間または速度における寄与の分布を評価する。
【００４０】
具体的には、流れ遷移時間または速度の第１のセットを選択し、複数のＳ形状関数の線形結合を用いてエコー信号への最適フィットを構成し、第１の評価を行う。
【００４１】
ある好適な実施形態例においては、第２の評価を行って流れ遷移時間または速度の第２のセットを定める。この場合、第２のセットを定める基礎として第１の評価を用いる。
【００４２】
さらに、第２の評価を用いて第３の評価のための値の初期セットを得ることが望ましい。
【００４３】
第２の評価ために、３次スプライン補外(cubic spline extrapolation)を利用してもよい。
【００４４】
本手法をさらに改善するために第３の評価を行ううえでニューラル・ネットワーク解析を用いてもよい。
【００４５】
一般に、ニューラル・ネットワークは、（流れ遷移時間もしくは速度のための）複数の重みと（重み付けされた流れ遷移時間もしくは速度のための）複数のバイアス値で定まる。ニューラル・ネットワークの学習は、バイアス値および重みの反復的調整による。バイアス値および負の重みは、周期的にゼロにリセットすることが望ましい。
【００４６】
好適な実施形態においては、上記のリセットは、５０ないし１００のイタレーション回数に等しい周期で実行される。
【００４７】
別の改善法としては、第１の評価は、１６個以下の、好ましくは８個以下のＳ形状関数を用いて行われることが望ましい。
【００４８】
また、第２の評価は、少なくとも８個、好ましくは１６個の流れ遷移時間または速度からなるセットを用いて行うことができる。
【００４９】
本発明は、その別の態様では、上述の方法を実行するためのコンピュータ・プログラムを提供する。
【００５０】
本発明は、さらなる別の態様では、上述のコンピュータ・プログラムを具現化したプログラム製品を提供する。
【００５１】
本発明は、なおさらなる別の態様では、生きた被験対象の組織における潅流の非侵襲的定量に適したシステムを提供する。
【００５２】
本発明は、上記とは別の態様では、上記のシステムにおいて使用する装置を提供する。このような装置は、エコー信号を入力する手段を備える。
【００５３】
以下、より具体的に示す。
（１）本発明による方法によってＳ形状関数から抽出されるパラメータは、用いた設備または設定に依存しない。よって、異なる設備または設定を用いた研究者間で比較を行うことができる。さらに、これらの抽出されたパラメータは、絶対的な定量評価に適している。
【００５４】
（２）本発明は、インビボでの血流のパラメータを簡便に定量する方法を提供する。この方法は、実際の器官の潅流が非常に複雑であるにもかかわらず驚異的な性能を示す。走査面に垂直な方向の平均流速の評価が、異なる速度および異なる任意の方向に向かって生じている流れの寄与の重畳がある場合であっても、可能である。
【００５５】
（３）本発明によれば、エコー信号のパワーと局所的微小胞濃度との対応を考慮しつつ、高さ方向について超音波プローブの音響的感度の特性を取り込んだパラメータ表現に基づいて曲線フィッティングを行うことができる。そのため、選択したフィッティング関数をどのように修正しようとも、対応する特性は保存される。この条件、および、高さ方向に関する微小胞破壊区域の幅に関する知見に基づき、統計学的分布（例えば、流れ遷移時間もしくは速度）のみならず、絶対的な血流のパラメータを評価することができる。
【発明を実施するための最良の形態】
【００５６】
添付の図面は、例示を目的とする。
【００５７】
以下の説明で用いる記号を次のように定義する。
ｘ          画像化面内の空間座標。ビームと垂直な（横）方向。
ｙ          画像化面と交差する空間座標。ビームと垂直な（高さ）方向。
ｚ          画像化面内の空間座標。ビームと平行な（深さ）方向。
Ｄ          高さ方向（ｙ）における微小胞破壊の空間的範囲。
ｆ          超音波の振動数。
ｃ          音速
λ          超音波の波長
ｍ          自然対数の平均
ｓ          自然対数の標準偏差
μ          対数正規分布の平均
σ２        対数正規分布の分散
γ          対数正規分布の歪度（ゆがみ）
τ          破壊区域縁部から中心までの流れ遷移時間
τｍｅａｎ  τの平均
Ｃ          微小胞の確率密度または相対濃度
Ａ          パラメータ方程式の振幅係数
Ｏ          パラメータ方程式のオフセット係数
ａ          ｙ方向のハーフ・アパーチャ幅
ｖ          局所的流速（ｖｘ，ｖｙ，ｖｚ成分）
ＫＴｘ，ＫＲｘ  送信および受信における２ａ／λｚパラメータ
Ｋ          Ｋ２＝ＫＴｘ２＋ＫＲｘ２で定める送受信パラメータ
Ｙ          Ｙ＝Ｋｙなる無単位の変数
θ          流れの方向と、画像化面法線とのなす角
β          単一指数関数の「速度」項
ＧＬ        映像信号のグレーレベル
ｔ          時間
ｄｔ        ウェーブレット解析における時間サンプル
η          累積対数正規確率分布関数の偏差項
Γ          任意比例定数
【００５８】
本発明は、微小胞による超音波造影剤（ＵＣＡ）の再潅流の動力学の研究に基づく器官の潅流の定量方法を提案する。本方法は、ＵＣＡを調製し、器官もしくは関心領域においてＵＣＡ濃度が定常状態に達するまで（通例５ないし３０秒間）待ち、画像化面を含むスライス内においてＵＣＡ微小胞を破壊せしめるに十分な大きさの音圧の造影剤−破壊フレームを１つもしくは複数個与え、そして、再潅流の、もしくは補充の、動力学をモニタリングするステップを要する。上述したように必要とされる定常状態の潅流に到達させるには、ＵＣＡを持続的に注入するか、または、数秒（通例１ないし１５秒）の間、ほぼ一定な注入速度を達成するように大量瞬時投与することで実現可能である。
【００５９】
＜再潅流の動力学＞
再潅流の動力学を、局所的ＵＣＡ濃度に比例した線形化信号、つまり、後方散乱音響パワーに比例した信号、を基に分析する。そうすれば、補充の動力学から潅流パラメータを推定可能である。従来の超音波画像化は、「Ｂモード」でも「２Ｄドップラー」でも断層撮影法的手法であって、このような手法では、組織のスライスを合焦させた音響ビームを高速で走査させることにより調査を行う。これらの画像化モデルでの空間的解像度は、３つの次元：画像化面内における音響ビーム幅を横断する方向として定められる横方向、画像化面におけるビーム伝播方向に平行な軸方向、および、画像化面に垂直な方向である高さ方向、のそれぞれにおける様々な深さにおける送受信超音波感度分布によって主に支配される。
【００６０】
十分に大きな音圧を加えることでＵＣＡ微小胞が破壊されるスライスの厚さは、高さ方向に関する音響ビーム幅および実際に加える音響レベルによって決まる。補充フェーズの間の、ＵＣＡ微小胞の、破壊のあったスライスのボリューム内への再流入の検出は、超音波検査機器のビームの高さ方向に関する空間感度に基づいて超音波検査機器によって検出される。本願の出願人は、時間の関数として観測されるエコー・パワーと、再潅流の動力学との間の関係性が、高さ方向に関するパルス・エコー・モードの空間送受信分布により一意的に決定されることを発見した。それに対し、一般に受け入れられたこの関係性に対する概念は、指標−希釈の理論からの借用であって、この理論は、均質な媒体におけるランダムな指標の希釈による指標濃度の時間発展を記述する理論である（例えば、ウェイ、Ｋ．、ジャヤウィーラ、Ａ．Ｒ．、フィルーザン、Ｓ．、リンカ、Ａ．、スキフ、Ｄ．Ｍ．、および、カウル、Ｓ．(Wei, K., Jayaweera, A. R., Firoozan, S., Linka, A., Skyhu, D. M., and Kaul, S.)、「クアンティフィケーション・オブ・マイオカーディアル・ブラッド・フロウ・ウイズ・ウルトラサウンド−インデュースド・デストラクション・オブ・マイクロバブルス・アドミニスタード・アズ・ア・コンスタント・ベーナス・インフュージョン」("Quantification of Myocardial Blood Flow With Ultrasound-Induced Destruction of Microbubbles Administered as a Constant Venous Infusion")、サーキュレーション(Circulation)、巻９７、１９９８）。これまでの研究者は、大抵の場合、研究手法を造影剤の補充の間観測される映像強度（輝度）レベルに依っていた。このレベルは、超音波検査機器のいわゆる「対数圧縮」を大いに被っている。よって、以下の一般形で表わされるような単一指数関数を再潅流動力学モデルとして選択していた。
【数１】
0004706003.tif 000002
ここで、Ａは、定常状態振幅であり、βは、単一指数関数の「速度」項であり、時間の原点を、最後のＵＣＡ破壊パルスの直後とする。先行技術においては、（例えば、先述のウェイら(Wei et al.)の引用文献においては、）値Ａ、β、およびＡβの値は、通例、分析している領域における「血量」、「血流速」、および「血流」に比例する値であると解釈される。しかしながら、この手法は所与の時刻における局所的ＵＣＡ濃度に比例する関数に基づくものではなく、よって、例えば、ゲイン、対数圧縮パラメータ等の使用者による設定に対する著しい鋭敏性に悩まされている。
【００６１】
本発明は、実際の器官の潅流（微小胞の構造、ランダム化している流れ、異なる流れの値の和、等）が非常に複雑であっても、インビボ下で驚く程に上手く機能する簡便な定量方法を提供する。
【００６２】
十分に大きな音響強度のパルスを用いたＵＣＡ破壊フレームを適用することで、高さ方向については超音波ビーム圧分布によって定められ横方向については超音波プローブの走査する領域の広がりによって定められるボリューム（容積）内のＵＣＡ微小胞が欠損させられる。この、ＵＣＡ破壊フレームを決定する高音響強度パルスは、単一のパルス（単パルス）でもよいし、好ましくは、超音波画像化装置の画像化面内で異なる方向に向けて発せられる複数の単パルス（パルス・シリーズ）であってもよい。ＵＣＡ破壊フレームは、単一のフレーム（単フレーム）または上述の画像化面に対し順次的に発せられる複数のフレームでもよい。例えば、深部領域にある微小胞の大部分を破壊するには、複数の破壊フレームが必要な場合がある。先述のとおり、発する音響的エネルギー・レベルは、所定の閾よりも高く、ＵＣＡ微小胞を破壊し得ることが必要である。特に、このレベルは、画像化面内に存在する微小胞の大部分を破壊しうる大きさであることが望まれる。「大部分」を破壊とは、破壊の直後から定常な潅流状態に達するまでの時間に計測した値、つまり、微小胞から受信したエコー信号に実質的な変動が検出される程に、多くの量の微小胞が破壊されることを意味する。実用上は、画像化面内の微小胞の少なくとも５０％を破壊すれば、好ましい実験データを得るには十分である。このましくは、破壊される微小胞の量は、少なくとも７５％であって、さらに好ましくは９０％、なおさらに好ましくは１００％である。
【００６３】
図１ａを参照すれば、超音波検査画像における、破壊された領域に補充される、ＵＣＡ微小胞の再出現の速さは、原則的には画像内の各場所における局所的な血の潅流の速度と高さ方向における超音波プローブの音響的感度パターンとに支配される。この再潅流の速度、およびさらに一般的には潅流のパラメータの値は未知の変量であり、その評価は、局所組織の病態を診断する臨床医に有益な情報をもたらす。
【００６４】
高さ方向の音響的感度パターンは、後で議論するパラメータである。なぜなら、これに対する知見は、本発明を理解する上での基礎となる。連成波モードで励起される矩形形状の合焦アパーチャ領域における高さ方向ｙについての音圧分布は、次式で近似的に定めることができる。
【数２】
0004706003.tif 000003
ここで、Γは任意の比例定数であって、
【数３】
0004706003.tif 000004
であり、「ｓｉｎｃ」関数は、
【数４】
0004706003.tif 000005
であり、ｆは超音波の振動数、ｃは伝播媒体中の音速、λは超音波の波長、ａは、トランスデューサの高さ方向に関するハーフ・アパーチャであり、ｚは、トランスデューサのプローブから関心のある深さまでの距離であり、ｙは、高さ方向における軸外距離である［例えば、キンズラー、ＬＥ、フレイ、ＡＲら(Kinsler LE, Frey AR et al.)、ファンダメンタルズ・オブ・アコースティックス(Fundamentals of Acoustics)、Ｊ．  Ｗｉｌｅｙ  ＆  Ｓｏｎｓ、１９８２］。パルスによる励起の場合、これは、一般には超音波検査における画像化モードの場合に相当するが、ピーク圧分布のメインローブは、音響パルス波形の中心（または平均）振動数近傍の振動数においては、連成波の場合とよく一致している。
【００６５】
局所的に検出された信号の振幅と、局所的ＵＣＡ濃度との対応を付けることに興味が向かう。そのため、感度パターンを、エコー信号強度を用いて表わすことが望まれる。このパターンは、送信および受信の分布の複合的な影響によって決定可能であって、通例、これらの分布は相違する。超音波トランスデューサにおいては、その高さ方向について、送信においては、音響的パワー分布ＰＴｘ（ｙ）は、上記の圧分布の自乗により近似的に決定される。例えば、矩形のアパーチャの場合、次の形式を有する関数で表現することができる。
【数５】
0004706003.tif 000006
ここで、ＫＴｘは、超音波の送信条件により定まる。実際には、このパワー分布は、ガウス関数ＧＴｘ（ｙ）により近似可能である。
【数６】
0004706003.tif 000007
【００６６】
受信モードにおいては、ＰＲｘ（ｙ）について同様の近似を行うことで次式が得られる。ここで、ＫＲｘは、超音波の受信条件により定まる。
【数７】
0004706003.tif 000008
【００６７】
パルス・エコーの場合、軸外の標的に対する超音波トランスデューサのパワー感度ＰＥ（ｙ）は、その第１近似においては、送信ビーム分布ＰＴｘ（ｙ）と受信ビーム分布ＰＲｘ（ｙ）の積より定める。送受信感度パターンＰＥ（ｙ）は、ガウシアンＧ（ｙ）を用いて次式のように近似される。
【数８】
0004706003.tif 000009
よって、送受信のＫ値の定義は、次式のように導かれる。
【数９】
0004706003.tif 000010
【００６８】
任意の矩形形状を有するトランスデューサのメインローブに関するＰＥ（Ｙ）のＧ（Ｙ）との密接な対応関係を図１ｂに示す。ここで、無単位量
【数１０】
0004706003.tif 000011
は、−１から＋１までの範囲である。
【００６９】
いずれの場合であれ、本願の主目的たる流れの評価方法を説明する上では、この分布の厳密な形状について議論する必要はない。当該超音波画像化および音響学分野の技能を有する者であれば、画像内の異なる深さまたは部分についてＫおよびＤの値を決定することで、本願発明を、様々な所与の超音波画像化システムの実際のビーム感度パターンおよび微小胞破壊の程度に対して適応させることができる。これらの決定は、後で説明するが、個々のプローブおよび動作条件に対し、簡単なキャリブレーション手続きを一度だけ実行するだけでよい。
【００７０】
特に、Ｋの値は、上述のように理論的に定めることもできるし、または、高さ方向に画像化面を横断して小さな点反射体を走査して記録されたそのプロファイルを高さ方向変位に関する最適フィットガウス関数で調整するようにして送受信ビーム強度を測定し、実験的にＫの値を定めてもよい。
【００７１】
ＵＣＡ微小胞が、スライスのボリューム内へ再流入する際、先ず、画像化面に対して垂直な方向への運動を仮定すれば、ＵＣＡ微小胞の局所的濃度に比例する線形化エコー信号は、高さ方向についてビーム感度で重み付けした送受信パターンで捕らえられる微小胞の割合が増加するように定まる。唯一の値を有する均一濃度のＵＣＡ微小胞が、位置ｙ’、
【数１１】
0004706003.tif 000012
までスライスに再流入した場合、ビーム感度ＰＥ（Ｙ）により検出される超音波検査のパワー信号Ｅ（Ｙ’）は、積分項を含む数式で表わすことができる。
【数１２】
0004706003.tif 000013
【００７２】
＜「誤差関数」を用いた本発明の実施＞
関数ＰＥ（Ｙ）が、ガウス関数Ｇ（Ｙ）に非常に似ている、というＰＥ（Ｙ）の実際の性状を考慮し、出願人は、エコー・パワー・信号Ｅ（Ｙ’）を、「誤差関数」ｅｒｆ（ｑ）を用いて表現することが有効であると考える。誤差関数は次式で定義されるものである［例えば、アブラモビッツ、Ｍ．およびステガン、Ｉ．Ａ．（編）(Abramowitz, M. and Stegun, I. A. (eds))の、ハンドブック・オブ・マセマティカル・ファンクションズ(Handbook of Mathematical Functions)内の、ガウチ、Ｗ．(Gautschi, W.)、「エラー・ファンクション・アンド・フレネル・インテグラルズ」("Error Function and Fresnel Integrals")、ドーバー・パブリケーションズ・インコーポレイテッド(Dover Publications Inc.)、ニューヨーク(New-York)、１９７２、頁２９７−３２９］。
【数１３】
0004706003.tif 000014
【００７３】
この定義は、ｅｒｆ（０）＝０、ｅｒｆ（−ｑ）＝−ｅｒｆ（ｑ）、および、
【数１４】
0004706003.tif 000015
なる性質を有する。一方から（例えば、負の値のＹ）から、破壊されたスライスへ微小胞が補充されるような物理的状況に対しては、所謂「累積正規分布関数」を使用するのが正しい。この関数を、潅流評価という文脈より、ｐｅｒｆ（ｑ）と称する。ｐｅｒｆ（ｑ）は次式で定義される。
【数１５】
0004706003.tif 000016
この関数は、
【数１６】
0004706003.tif 000017
および、
【数１７】
0004706003.tif 000018
なる性質を有する。さらに、ｐｅｒｆ（ｑ）は、ｅｒｆ（ｑ）を用いて以下のように簡単化することができる。
【数１８】
0004706003.tif 000019
【００７４】
上記の定義では、関数ｐｅｒｆは、グラフ的には、Ｓ形状関数であり、この関数は、図２に例示するように、−∞からＹまでの積分で表わす、ガウス分布した送受信ビームＧ（Ｙ）の感度プロファイルのエネルギである。この関数は、微小胞破壊の後の再潅流過程の開始に対応する初期の実質的に平坦な部分（プラトー）、中央の傾斜部、および、潅流の完了した定常状態に対応する最終プラトー部を有する。本発明のＳ形状関数はいずれも、データ記録した期間が、最終的定常状態を推定するには不十分な場合、破壊パルスを加える直前に計測された定常状態値を、再潅流信号の漸近的定常状態の予想値として用いてよい。
【００７５】
破壊された微小胞の領域が画像化面の両面より対称的に厚さＤで延在するとすれば、Ｙの負および正方向に両方にプローブ軸からＤ／２の距離の位置を定める。新しい微小胞の流れは、流速ｖでＹ方向に破壊されたスライスに補充される。非破壊的なモニタリング・フェーズにおける、時間の関数であるエコー・パワー回復関数Ｅ（ｔ）は、以下の一般形で、ｐｅｒｆ関数を用いて表わされる。
【数１９】
0004706003.tif 000020
ここで、Ｄ／２ｖは、微小胞が破壊された領域の縁部から画像化面中心部に到達するのに必要な時間遅れτである。このようにして、流速ｖは、局所的微小胞濃度がその最大（または定常状態）値の半分に達するのに必要な時間遅れの測定より実験的に直接的に評価することができる。「平均遷移時間」とみなしてもよいこの遅れは、実験的な線形化エコー・パワー信号を振幅およびオフセットの項に加えて遅れのパラメータτを含むパラメータ方程式で最適フィットさせることで容易に評価可能である。画像化面に垂直な、一定でありかつ均一な流れの場合、これらのパラメータ・フィット方程式Ｆ（ｔ）は、次式の形式で表わすことができる。
【数２０】
0004706003.tif 000021
ここで、パラメータＯ、Ａ、およびτは、それぞれオフセット、振幅、および遷移時間遅れの最適フィット値を表わし、分析している領域における流速は、ｖ＝Ｄ／２の関係より評価可能である。
【００７６】
この流速評価のために必要な先験的知識は、走査面の周りに広がる破壊された微小胞の局所的厚さＤのみであり、この値は、各プローブ種、超音波検査機器、および、動作モードについて一度だけ、適当な近似を用いて深さ（デプス(depth)）の関数としてマッピングすればよい。異なる深さにおけるＤの値は、例えば、ゲル内のＵＣＡ微小胞に当てはめて直接的な光学的観察によって破壊された微小胞の程度を評価するといった実験的手法により決定可能である。あるいは、インビボまたはインビトロにおいて、第２の超音波画像化システムを用い、低い音響パワーで第１のシステムの画像化面に垂直な画像化面について破壊されたＵＣＡ微小胞の程度を視覚化することで、音響学的に定めてもよい。さらには、Ｄを、送信ビームのプロファイルおよびＵＣＡ微小胞の破壊に関する音圧の閾に関する知見に基づき、理論的に評価してもよい。組織による減衰を考慮するため、深さに関しＤ値に補正係数を追加してもよい。
【００７７】
実際的には、破壊された領域の両方向から等しくＵＣＡ微小胞が補充されるが、上述のエコー・パワー補充関数はその場合も有効である。なぜなら、流れの方向は関係が無く、各瞬間において、微小胞の、ビーム内の大域的な濃度のみが問題だからである。
【００７８】
また、本発明のＳ形状関数は、流れのパラメータを評価するためにエコー信号に関連付けされなければならないにも関わらず、特定の環境下では、データ・セットまたは最適フィット関数は、解析に用いるデータ・セットの限定された時間間隔においては、曲線フィッティングに用いる数学的関数のＳ形状特性を示さないこともある。このような場合は、例えば、高さ方向にて、超音波ビームの調査するボリューム（容積）内の微小気泡がほんの少しだけ破壊された場合や、または、例えば、早い流速がある場合にはフレーム・レートが有限である（制限がある）ため、実際の微小気泡の補充を十分にサンプリングできないような場合である。
【００７９】
微小胞の速度ベクトルと走査面の法線とのなす角θが、ゼロ度ではなく、９０度ではない任意の角度である場合、評価したｖと、最適フィット・パラメータτとの関係は簡単に次式のように表せる。
【数２１】
0004706003.tif 000022
【００８０】
流れの方向θに関する知見が無い場合、流速は、θ＝０として評価され、その流速は、画像化面に垂直な速度成分ｖｙに相当する。
【００８１】
本方法の有する驚くべき特徴の１つは、走査面に垂直な方向の平均流速、
【数２２】
0004706003.tif 000023
の評価は、異なる任意方向θｉの流速ｖｉからの寄与が重畳されている場合であっても、可能である点である。これについては、後で説明する。Ｎ個の異なる方向、および／または、Ｎ個の異なる速度で流れる微小胞の寄与がある場合、エコー信号のパワーは、次式で表わされる。
【数２３】
0004706003.tif 000024
ここで、
【数２４】
0004706003.tif 000025
および、
【数２５】
0004706003.tif 000026
であり、Ｃｉは、速度Ｖｉｙについての微小胞の相対濃度である。これは、個々のｙ方向についての相対速度で定義される。この場合、Ｅ（ｔ）の形状は、もはや純粋なｐｅｒｆ関数のものを示さない。
【００８２】
＜「対数ｐｅｒｆ（ｌｏｇｐｅｒｆ）」再潅流関数を用いた本発明の実施＞
実験的な再潅流のパワーのデータを上手く曲線フィットするため、換言すれば、上述のような異なる流れの総和として現われるパワーのデータを上手く曲線フィットするため、累積対数正規確率分布関数の形式を有する、経験的パラメータを備えたＳ形状関数を用いればよいことがわかった。これより説明にて用いるこの関数は、今後対数ｐｅｒｆ（ｌｏｇｐｅｒｆ）再潅流関数、
【数２６】
0004706003.tif 000027
と称し、ここで、Ｏ、Ａ、τ、およびηは、フィッティングのパラメータである。驚くべきことに、このｌｏｇｐｅｒｆ（ｔ）関数を用いて実験的な再潅流のエコー・パワー信号をフィットすると、平均遷移時間を上手く評価することができる。この平均遷移時間は、最適なフィットとなるτの値として求まる。フィッティング関数としてこのｌｏｇｐｅｒｆパラメータ関数を用いた例を図３ａおよび図３ｂに示す。実験的データを求めるためには、ヴェルトマンら(Veltman et al.)らの開示による設定の１つと類似の設定を用いた（「オン・ザ・デザイン・オブ・ア・キャピラリー・フロウ・ファントム・フォー・ジ・エバリュエーション・オブ・ウルトラサウンド・コントラスト・エージェンツ・アット・ベリー・ロウ・フロウ・ベロシティーズ」("On the design of a capillary flow phantom for the evaluation of ultrasound contrast agents at very low flow velocities")、Ultrasound in Med. Biol.、２８（５）、６２５−６３４、２００２）。マイクロファイバ束（内径２４０μｍのファイバ１７０本、Ｈｏｓｐａｌ  ＡＮ６９、フランス）は、微小気泡浮遊液（懸濁液）（およそ２−３μｍの平均径を有し、全フッ素置換ブタンガスが含まれる、リン脂質安定化微小気泡）で潅流される。この微小気泡浮遊液（懸濁液）は、蠕動ポンプ（ギルソン・ミニパルス３(Gilson Minipulse 3)、フィリーア・ル・ベル(Villiers le Bel)、フランス）の制御の下、１ないし３０ｍｍ／ｓの範囲の流速値を有する。マイクロファイバに沿って流れる微小気泡は、蒸留水に、およそ１０の６乗気泡毎ｍＬ程度に希釈されている。
【００８３】
使用した超音波検査機器は、エサチューン・スキャナ(Esatune scanner)（エサオテ、フローレンス、イタリア(Esaote, Florence, Italy)、）で、ＣｎＴＩ（Ｓ）（造影剤調整画像化）モードで使用した。共に用いたプローブは、ＬＡ５３２Ｅプローブである。送信周波数は、２．６ＭＨｚであり、フレーム・レートは、４３Ｈｚであり、再潅流モニタリングに関するメカニカル・インデックス(Mechanical Index)は、０．０７であり、最大送信パワーで１秒間の破壊フレーム・シークエンスを用いた。プローブを、流れの方向と画像化面との成す角が５０度となるようにしてマイクロファイバ束の断面画像を作成するように配置した。リアルタイムｒｆ信号は、高速ｒｆグラバ(fast rf-grabber)（ＦＥＭＭＩＮＡの、スキャビアら(Scabia et al.)、「ハードウェア・アンド・ソフトウェア・プラットフォーム・フォー・プロセッシング・アンド・ビジュアライゼーション・オブ・エコグラフィック・ラジオ−フリケンシー・シグナルズ」("Hardware and software platform for processing and visualization of echographic radio-frequency signals")；IEEE Trans. Ultra. Ferr. Freq. Contr.、４９（１０）、１４４４−１４５２、２００２）を用いて、各破壊−補充シークエンスに対して１５秒間収集した。使用者定義の関心領域（ＡＯＩ）内の平均エコー・パワー信号を計算し、破壊後の、マイクロファイバ内のＵＣＡ微小気泡の補充を求めた。このデータ・ポイントは、図３ａおよび図３ｂにおいて点で示している。流速値は、それぞれ４ｍｍ／ｓおよび８ｍｍ／ｓである。
【００８４】
フィッティングを行う前に、Ｄの値を、光学的に、およそ５×１０の６乗個毎ｍＬの微小気泡を含む１．５％アガロース・ゲル内の破壊された区域の幅を計測することにより、７．２ｍｍと定めた。ｌｏｇｐｅｒｆ関数は、マットラブの曲線フィッティング・ツールボックス(Matlab Curve Fitting Toolbox)（マスワークス(MathWorks)、ナティック、マサチューセッツ、米国(Natick, MA, USA)）で実現し、最適フィットは、トラスト・リージョン法(Trust Region method)（ビルド、Ｒ．Ｈ．、Ｒ．Ｂ．シュナベル、および、Ｇ．Ａ．シュルツ(Byrd, R. H., R. B. Schnabel, and G. A. Shultz)、「アプロクシメート・ソリューション・オブ・ザ・トラスト・リージョン・プロブレム・バイ・ミニマイゼーション・オーバー・ツー−ディメンジョナル・サブスペーシズ」("Approximate Solution of the Trust Region Problem by Minimization over Two-Dimensional Subspaces")、マセマティカル・プログラミング(Mathematical Programming)、巻４０、頁２４７−２６３、１９８８）を用いて計算した。最適フィットは、図３ａおよびｂにおいて実線で示す。図３ａおよび図３ｂのそれぞれに関し、τｍｅａｎ値は、１．４２１および０．６７１４であり、η値は、０．６１９７、および、０．８０７９であり、Ａ＝１１１４および１２５８である。これら、τｍｅａｎ、θ、および、Ｄ値により、評価される平均流速値は、図３ａおよび図３ｂのそれぞれについて、３．９ｍｍ／ｓおよび８．３ｍｍ／ｓである。これは、実値４ｍｍ／ｓおよび８ｍｍ／ｓとよく一致している。
【００８５】
図４ａおよび図４ｂに、単一指数関数フィットに基づく評価にかかる本発明の主たる有利点を示す。ここでは、２つの異なる機器ゲイン値（ハイ・ゲインは、ロー・ゲインの２倍である）で、角θを６０度とし、流速値を増加させながら、上述したインビトロ設定を用いた。図４ａは、先行技術による最適フィットにより得たβ値を示す。評価の線形性は良好であるが、用いた２つのゲイン値の間で顕著な差違が認められる点に注意されたい。例えば、流速２０ｍｍ／ｓにおいては、βの評価値は、ロー・ゲインの場合およそ３．３ｓ−１であり、ハイ・ゲインの場合およそ４．７ｓ−１である。このことは、先行技術の方法は、システム依存性を有することを示している。図４ｂは、ｌｏｇｐｅｒｆ関数を用いて最適フィット値を求めた場合における、Ｄ／（２τ）の評価値を示す。評価の線形性は良好でありかつ、評価の絶対値が、試験に用いた２つのゲイン値において、実値の５％以内（回帰直線に対し、
【数２７】
0004706003.tif 000028
）にある点に注目されたい。流速２０ｍｍ／ｓの同様の例においては、Ｄ／（２τ）の評価値は、ロー・ゲイン値およびハイ・ゲイン値の両方において、およそ１９ｍｍ／ｓである。このことが示すのは、本発明によるｌｏｇｐｅｒｆ関数を用いた流速の評価は、絶対的な物理量と同様に、システムに依存しない、ということである。本発明による方法で抽出したパラメータは、このように、使用する設備や設定に依存しない。よって、異なる設備や設定を用いる研究者間で比較が可能である。さらには、これらの抽出したパラメータは、絶対的な定量評価に適している。
【００８６】
＜「対数正規」的流れ分布に対する本発明の実施＞
ＵＣＡの補充分析を用いて、未知の組織内における対数正規流れ分布の平均（ミーン(mean)）、分散（バリアンス(variance)）、および、歪度（スキューネス(skewness)）の最適な評価を算定することができる。このことは、微小血管網の構成に関する情報を与えてくれる。一般に、組織潅流は、平均遷移時間τを有する血管の対数正規分布で、疑連続的に表現される。組織に血液と同じ速度で微小胞が潅流する場合、微小胞濃度Ｃ（τ）の分布は、次式、
【数２８】
0004706003.tif 000029
のような形式を有する対数正規確率密度分布で記述され、ここで、ｍおよびｓはそれぞれ、τの自然対数の平均および標準偏差である。対数正規分布の平均μ、分散σ２、および、歪度γは、
【数２９】
0004706003.tif 000030
【数３０】
0004706003.tif 000031
、および、
【数３１】
0004706003.tif 000032
で与えられる。上述の遷移時間の確率密度は、１に規格化されていることを確認する。
【数３２】
0004706003.tif 000033
【００８７】
出願人の観察によれば、未知組織内の対数正規流れ分布の平均、分散、および、歪度の評価は、エコー・パワーＥ（ｔ）を流れ遷移時間τの対数正規分布で重み付けした個々のｐｅｒｆ関数の結合で表わすことで、可能である。本願ではｌｏｇｎｏｒｍｐｅｒｆ（ｔ）と称するこの関数は、
【数３３】
0004706003.tif 000034
ここで、全ての変数は、先に定義したとおりである。
【００８８】
図５ａおよび図５ｂは、シミュレーション例を用いて２つの遷移時間の対数正規分布を例示している。ここで、一方は、σ２＝０．５、γ＝１．８８であり、他方は、σ２＝０．０２、γ＝０．３４であり、両者においてτｍｅａｎ（＝μ）＝１．２５である。これらの２つの分布より、図６ａおよび図６ｂに示すような補充関数ｌｏｇｎｏｒｍｐｅｒｆ（ｔ）＝Ｅ（ｔ）が得られる。ここで、本例におけるパラメータは、Ｏ＝０、Ａ＝１、Ｄ＝７．２ｍｍ、θｉ＝０、および、Ｋ＝１．４１ｍｍ−１である。図６ａおよび図６ｂに示す２つの例の差違から、ｌｏｇｎｏｒｍｐｅｒｆ（ｔ）＝Ｅ（ｔ）の形状は、遷移時間分布の歪度（スキューネス）に対して依存性があることがわかる。その形状は、低歪度分布（γ＝０．３４）の場合、ｐｅｒｆ関数に非常に近く、高歪度分布（γ＝１．８８）の場合、より鋭敏な立ち上がりと緩やかな「肩部（ショルダー）」（定常状態値に近づく変曲度）を有するＳ形状を有する。
【００８９】
図７ａおよび図７ｂは、遷移時間の対数正規統計的分布に対する上述の考察を示す例図である。ここでは、図３ａで用いたものと同じ実験データを例として用いている。本例においては、データ・ポイントは、ｌｏｇｎｏｒｍｐｅｒｆ（ｔ）のパラメータ表現形式を用いてフィットしている。この式では、流れ遷移時間の対数正規分布は、パラメータｍおよびｓを含む。Ｋの値は、測定にかかる物理的条件を考慮し、０．２７６１ｍｍ−１とした。つまり、ａ＝２．５ｍｍ、ｆ＝２．６ＭＨｚ、ｚ＝４５ｍｍ、ｃ＝１４８０ｍｍ／ｓ、送信および受信で同じ、とした。（Ｄ＝７．２ｍｍ、オフセットＯ＝０で）最適フィット値として得た値は、流速４ｍｍ／ｓおよび８ｍｍ／ｓに対しそれぞれ、μ＝１．５３および０．７８、σ＝０．４７および０．３９、γ＝０．９６および１．６、Ａ＝１１１４および１２５８である。これら２例に対応する流れ遷移時間の対数正規確率密度分布を図８に示す。関連して評価した流速は、θ＝５０度で３．７ｍｍ／ｓおよび７．２ｍｍ／ｓである。この例においても、実際に課された流速、４ｍｍ／ｓおよび８ｍｍ／ｓとそれぞれよく一致している。
【００９０】
図６ａおよび図６ｂに示す補充関数の注目すべき特徴は、これら２つの流速の条件からは大きく異なった歪度値を有する分布が導かれるにもかかわらず、対応する平均遷移時間評価値μ＝τｍｅａｎが、定量的な意味で、実際の平均流速と一致することである。
【００９１】
即ち、本発明による、気泡破壊後の、パラメータによる流れ評価は、関心のある深さ（デプス）のそれぞれにおける気泡破壊の厚さＤに関する知見にのみ基づき画像化面に垂直な方向における平均流速の直接的な評価が可能である。
【００９２】
例えば様々な器官における微小血管系を表現するために流速および遷移時間に関する対数正規分布を求めた場合、再潅流関数Ｅ（ｔ）の実際の形状を分析すれば、流れ分布の分散および歪度を評価することができ、よって、組織の病態を診断することも可能である。このような評価は、実験的な線形化エコー・データから、ｐｅｒｆ関数もしくはｐｅｒｆ関数の線形結合を用いて上述のようにして導出した曲線フィッティングパワー信号より行うことができる。
【００９３】
＜別のＳ形状関数による本発明の実施＞
上述のｐｅｒｆ関数は、高さ方向にガウシアン的なビーム感度を有する画像化面内における単一の流れのチャネルに関するエコー・エネルギの再潅流を正確に表わすのだが、例えば三角関数や多項式といったＳ形状関数の等価なパラメータ表現形式を用いても、実用上問題のない精度でｅｒｆ関数を近似することができる。これら等価な形式は、ｅｒｆ関数を周知の方法で近似することで求めることができる。そのような例としては、
【数３４】
0004706003.tif 000035
ここで、ａ１＝０．２７８３９３、ａ２＝０．２３０３８９、ａ３＝０．０００９７２、ａ４＝０．０７８１０８、ならびに、ｑ≧０の場合、ｓｉｇｎ（ｑ）＝１、ｑ＜０の場合、ｓｉｇｎ（ｑ）＝−１、または、
【数３５】
0004706003.tif 000036
がある。また、これらに限るものではない。また、上記事実は、
【数３６】
0004706003.tif 000037
であることを意味する。
【００９４】
これら近似的な表現形式を用い、観測された再潅流パワー関数を、対数正規分布といった流れ遷移時間もしくは流速の確率分布で重み付けしたｐｅｒｆ関数の積分とフィットさせればよい。流れ分布の平均流速、分散、または、歪度といったパラメータを、観測したデータの最適フィットから評価することができる。これらパラメータの計算は、超音波検査画像内部で使用者が限定したエコー・エネルギ領域（「関心領域」）で求めてよい。この関心領域は、使用者がマニュアルで定めてもよいし、超音波検査画像に境界を描写する周知の方法や、解剖学的な器官の形態に基づいて自動的に定めてもよい。あるいは、個々の画像要素内でパラメータを計算してもよい。画像要素とは、例えば、デジタル映像のピクセル（画素）、画素群、局所的画像解像度より定まる個々のスペックル「粒（グレイン）」、もしくは、画像の自動的に決定されるその他の領域を含む。このパラメータ計算により、空間的パラメータ・マップ(spatial parameter cartography)として表示することができる。空間的パラメータ・マップは、パラメトリック画像化とも称される。この場合、使用者が関心領域を定める必要はない。
【００９５】
＜遷移時間または速度の確率密度分布評価＞
上述のようにして本方法により求められたＳ形状関数を用いて（例えば、異なる毛細血管内の）再潅流の際の微小胞の遷移時間または速度の確率密度分布を評価することもできる。周知のことだが、健常な組織（つまりは、異常の無い場合）においては、微小胞の流れは血液と同じ速さで流れる。この場合、遷移時間もしくは速度の分布は、対数正規分布と一致する。故に、分布を評価することで、単に対数正規分布と比較すれば、生理学的異常性を検出することができる。
【００９６】
我々は、確率密度分布関数を算定する新しい方法を開発した。この方法は、先述の関数のパラメータの少なくとも１つの値と、局所的組織潅流値もしくは属性を備えたＳ形状特性とを対応付けるような場合に特に有利である。しかしながら、以下に説明する新しい方法は、例えば、エコー・パワーの、時間の関数としての線形的増加および指数関数的減衰が特徴的に含まれるようなＵＣＡの大量瞬時投与（ボーラス・アドミニストレーション）といった、別の潅流分析のような状況における確率密度分布関数の算定においても有用である。
【００９７】
＜ウェーブレット解析を用いた本発明の実施＞
再潅流エコー・データを、遷移時間の対数正規もしくは正規分布の帰結と捉えるのではなく、未知の、個々のｐｅｒｆ関数の総和の帰結と捉えて解析することができる。この場合、潅流関数の２次時間微分または平滑化もしくはローパス・フィルタをかけた潅流関数に適用した連続ウェーブレット分解が、流れ遷移時間の確率密度の評価の有用であることが判っている。ここでは、ウェーブレット・スケールおよび遅延の係数(delay coefficients)を評価するための「マザー・ウェーブレット」（または、モデル・ウェーブレット）は、速度ｖｍｗを有するｐｅｒｆ関数の２次導関数を選択することができる。この関数は、ウェーブレットに関する定義からの要請の全てを満足する。連続ウェーブレット変換のスケールの係数ｓｃおよび遅延の係数ｄｅｌは、デジタル的表現では、気泡破壊区域のＵＣＡ補充という本説明の文脈を考慮して次式、
【数３７】
0004706003.tif 000038
および
【数３８】
0004706003.tif 000039
のように表わされ、ここでｄｔは、サンプリングの時間間隔である。
【００９８】
図９ａ、ｂ、ｃ、ｄは、再潅流曲線の２次時間導関数に対して連続ウェーブレット変換を用いた、任意の遷移時間分布の評価の過程を示す図である。理論上の再潅流の例である図９ａを解析する。この例は、実際には、およそ０．５６秒および１．３５秒あたりにそれぞれの平均値を有する複峰性の遷移時間分布として与えられる。この関数の２次導関数を、相対振幅スケールで図９ｂに示す。ウェーブレット分解に用いるマザー・ウェーブレットを図９ｃに示す。実際には、これは、基本的なｐｅｒｆ関数の２次導関数により与えられる。図９ｄは、ウェーブレット分解の結果と、図９ａの再潅流関数の生成に用いた本来の複峰性の遷移時間分布との比較を示す。この比較より、本発明の流れ分布評価の文脈におけるウェーブレット解析の実用性を確かめた。フーリエ、ラドン、ヒルベルト、Ｚ−、もしくはその他の積分変換を用い、再潅流関数に関する同様の解析を行い、遷移時間分布の評価を行うことができる。これらの解析はいずれの場合においても、潅流遷移時間の値が個別的に、時間の関数として、本願明細書に開示のｐｅｒｆ関数のタイプの寄与をパワーに対して及ぼす、という認識に基づいている。
【００９９】
上記の手法により、観測された再潅流のデータのフィッティングを行う別の方法には以下のものが含まれる。それは、実験データに対し、例えば移動平均、ローパス・フィルタリング、メジアン・フィルタリング、等もしくはこれらの組み合わせといった既知の形式の平滑化または時間平均化を、曲線フィッティングの前に実行することである。これは、特定の場合において有利なことがある。さらに別の方法には、本願の開示するＳ形状フィッティング関数で、「非−線形化」エコー・データ（例えば、対数圧縮データ）を曲線フィッティングすることがある。ここでのＳ形状フィッティング関数は、エコー信号の非線形応答性をもたらした過程と同一の過程（例えば、Ｓ形状関数に対する対数圧縮）で修正を加えている。
【０１００】
＜ニューラル・ネットワーク解析を用いた流速の確率密度分布の再構築＞
本発明の別の実施形態においては、再潅流エコー・データを、１つまたは複数のステップからなる処理により解析する。
【０１０１】
本解析の開始点は、上述のエコー・パワー補充信号Ｅ（ｔ）である。
【０１０２】
明瞭な説明のため、関連する式を再掲する。高さ方向に関するパルス−エコー音響感度パターンＰＥ（ｙ）はガウシアンＧ（ｙ）を用いて次のように近似される。
【数３９】
0004706003.tif 000040
【０１０３】
好都合にも、補充関数Ｅ（ｔ）は次式、
【数４０】
0004706003.tif 000041
と表わされ、ここでは、
【数４１】
0004706003.tif 000042
【数４２】
0004706003.tif 000043
、および、
【数４３】
0004706003.tif 000044
であり、かつ、Ｏはオフセット係数であり、Ａは、振幅係数であり、
【数４４】
0004706003.tif 000045
は、微小気泡が破壊区域の縁部から中心部まで移動するのに必要な遷移時間である。
【０１０４】
微小胞の速度ベクトルｖとｙ方向との成す角がゼロ度および９０度でない、任意の角θｖである場合、ｐｅｒｆ（ｔ）の定義（１．３）は、
【数４５】
0004706003.tif 000046
となり、ここで、
【数４６】
0004706003.tif 000047
かつ、
【数４７】
0004706003.tif 000048
であり、ここで、
【数４８】
0004706003.tif 000049
である。
ｖｙは、ｙ方向に沿ったｖの成分であるとする、つまり、
【数４９】
0004706003.tif 000050
である。よって、
【数５０】
0004706003.tif 000051
であり、ここで、
【数５１】
0004706003.tif 000052
である。
【０１０５】
（１．６）は、定義（１．３）においてｖをｖｙに、そしてτをτｙにしたものに等しい。ｐｅｒｆ（ｔ）（１．６）は、ｖｙのみ、または、τｙのみ、のいずれかを用いて次のように正確に表現することもできる。
【数５２】
0004706003.tif 000053
【数５３】
0004706003.tif 000054
【０１０６】
関心領域において、多くの毛細血管が存在し、各毛細血管は、唯一無二の再潅流速度で特徴付けられる。よって、各毛細血管の補充関数は、（１．７）または（１．８）（個別のｐｅｒｆ関数）、
【数５４】
0004706003.tif 000055
または、等価的に、
【数５５】
0004706003.tif 000056
で与えられる。
【０１０７】
もし、Ｐ（ｖｙ）が、関心領域におけるｙ方向の速度成分の確率密度分布であれば、その領域におけるエコー・パワー補充関数Ｅ（ｔ）は、各毛細血管による影響（作用）の確率で重み付けした、個別のｐｅｒｆ関数の結合、
【数５６】
0004706003.tif 000057
として表わすことができる。
【０１０８】
（１．９）の離散形式は、
【数５７】
0004706003.tif 000058
である。
【０１０９】
確率密度分布Ｐ（ｖ）は、正規化による特性、
【数５８】
0004706003.tif 000059
を満足し、よって、
【数５９】
0004706003.tif 000060
である。
τｙを用いれば、
【数６０】
0004706003.tif 000061
となり、その離散形式は、
【数６１】
0004706003.tif 000062
であり、ここで、Ｐ（τｙ）は、関心領域における確率密度分布τｙである。（１．１１）および（１．１２）と同様に、
【数６２】
0004706003.tif 000063
であり、
【数６３】
0004706003.tif 000064
である。
【０１１０】
表記の簡単化のため、以下の説明では、添え字Ｙは省略する。よって、表記ｖおよびτを、ｖｙおよびτｙの代わりとして用い、それぞれ、速度および遷移時間と称することにする。
【０１１１】
健常な組織（異常性の無い場合）の特徴として、微小気泡が、血液と同じ速度で流れる場合、Ｐ（ｖ）は、対数正規確率密度分布、
【数６４】
0004706003.tif 000065
をとり、ここで、ｍおよびｓはそれぞれ、ｖの自然対数の平均および標準偏差である。
【０１１２】
同様に、τを用いれば、健常な組織は、
【数６５】
0004706003.tif 000066
で特徴付けすることができ、ここで、ｍおよびｓはそれぞれ、τの自然対数の平均および標準偏差である。
【０１１３】
図１０は、対数正規をとる場合の補充関数の例を示す図である。この曲線を形成するために、式（１．１０）を用いており、ここでは、
−対数正規確率密度分布のパラメータは、ｍ＝１．５、ｓ＝０．４５であり、
−速度ベクトルは、
【数６６】
0004706003.tif 000067
であって、ここで、
【数６７】
0004706003.tif 000068
である。
【０１１４】
式（１．１０）および（１．１３）は、（個々の）ｐｅｒｆ関数の線形結合として補充関数を表わしている。実際のエコー・パワー補充信号は次式、
【数６８】
0004706003.tif 000069
で表わされ、ここで、Ｅ（ｔ）は、（理論上の）補充関数であり、Ｎ（ｔ）は、ノイズを表わす。
【０１１５】
故に、補充フェーズの各瞬間ｔ１，．．．，ｔｊにおいて記録される信号のベクトルは、
【数６９】
0004706003.tif 000070
と表せる。
【０１１６】
ここでの目的は、Ｐ（ｖ）またはＰ（τ）の形式に関する情報を何ら仮定せずに、Ｅ’から、任意のｉ（∀ｉ）について、Ｐ（ｖｉ）または、等価的に、Ｐ（τｉ）に関する良好な近似を求めることである。
【０１１７】
以下、ｖおよびτについて特に区別せずに、課題となっている定式化を行う。とくに、Ｐ（ｖ）もしくはＰ（τ）の再構築については、区別せずに示す。これより、新しく開発した、単一もしくは複数のステップからなる方法を示す。この方法は、第１のステップについてＭａｔｌａｂ（登録商標）のオプティマイゼーション・ツールボックス（Ｏｐｔｉｍｉｚａｔｉｏｎ  Ｔｏｏｌｂｏｘ）、ならびに、第２およびそれ以降のステップについてＭａｔｌａｂ（登録商標）のニューラル・ネットワーク・ツールボックス（Ｎｅｕｒａｌ  Ｎｅｔｗｏｒｋ  Ｔｏｏｌｂｏｘ）を用いて有利に実施することができる。
【０１１８】
＜第１のステップの実行＞
Ｅ’は、（１．１６）による定義で、そして、ｓｕｍ＿ｐｅｒｆ（ｐ，ｔ）を線形結合、
【数７０】
0004706003.tif 000071
で定義される関数とする。ここで、ｐ＝（ｐ１，．．．，ｐｎ）は重み係数であり、ｎは、解析で考慮する流速の数である。次に、ｓｕｍ＿ｐｅｒｆ（ｐ）を、
【数７１】
0004706003.tif 000072
で定義されるベクトルとする。
【０１１９】
ｓｕｍ＿ｐｅｒｆをｐの関数と考えるのであれば、ｐに関する関数ｆ（誤差関数）は、
【数７２】
0004706003.tif 000073
と定義することができる。
しかして、ここでの目的は、制約付き（束縛されている）非線形多変数関数の最小、
【数７３】
0004706003.tif 000074
を、
【数７４】
0004706003.tif 000075
の条件で求めることである。
実際、制約（束縛）関数（１．１８）の解ｐｍｉｎを求めることができれば、簡単なルール、
【数７５】
0004706003.tif 000076
よりＰ（ｖｉ）の近似が可能である。
【０１２０】
さらに、補充関数の近似は、次式、
【数７６】
0004706003.tif 000077
により可能である。
【０１２１】
Ｍａｔｌａｂ（登録商標）のプログラミング言語には、オプティマイゼーション・ツールボックス(Optimization Toolbox)と呼ばれる、最小化問題を解く上で非常に有用なツールボックスが含まれている。特に、Ｍａｔｌａｂ（登録商標）の関数ｆｍｉｎｃｏｎは、初期推定から出発して複数の変数を有するスカラー関数に関し制約付き（束縛）状態での最小値を求めるものである。ｆｍｉｎｃｏｎ関数は、インテリア・リフレクティブ・ニュートン法(interior-reflective Newton method)に基づく部分空間信頼領域法(subspace trust region method)を用いている。インテリア・リフレクティブ・ニュートン法については、コールマン、Ｔ．Ｆ．、および、Ｙ．リ(Coleman, T. F. and Y. Li)、「アン・インテリア、トラスト・リージョン・アプローチ・フォー・ノンリニア・ミニマイゼーション・サブジェクト・トゥ・バウンズ」("An Interior, Trust Region Approach for Nonlinear Minimization Subject to Bounds")、ＳＩＡＭジャーナル・オン・オプティマイゼーション(SIAM Journal on Optimization)、巻６、頁４１８−４４５、１９９６、および、コールマン、Ｔ．Ｆ．、および、Ｙ．リ(Coleman, T. F. and Y. Li)、「オン・ザ・コンバージェンス・オブ・リフレクティブ・ニュートン・メソッズ・フォー・ラージ−スケール・ノンリニア・ミニマイゼーション・サブジェクト・トゥ・バウンズ」("On the Convergence of Reflective Newton Methods for Large-Scale Nonlinear Minimization Subject to Bounds")、マセマティカル・プログラミング(Mathimatical Programming)、巻６７、号２、頁１８９−２２４、１９９４に記載がある。各イタレーションにおいて、前処理付共役勾配法(preconditioned conjugate gradients)（ＰＣＧ）を用いて大規模な線形システムの近似解を求めている。
【０１２２】
ｆの勾配に対する解析的な式を、ｆｍｉｎｃｏｎに与えており、勾配は、数値的に求めることがない。そのため、このアルゴリズムがより精確なものになっている。ｆｍｉｎｃｏｎに代入すべき初期推定の選定は、非常に重要である。実際、（制約付（束縛された））関数ｆは、数多くの極小を有しており、これにより補充関数Ｅ（ｔ）の良好な近似を求めることが可能であるが、Ｐ（ｖｉ）は、良好な近似が得られるとは限らない。
【０１２３】
【数７７】
0004706003.tif 000078
の場合、次に示す初期推定を用いれば非常に良好な結果が得られる。
【数７８】
0004706003.tif 000079
【数７９】
0004706003.tif 000080
【０１２４】
所与の、関心を寄せている間隔における速度値は、その等差数列（算術数列）または等比数列（幾何数列）を用いて選ぶことができる。
【０１２５】
示す図である。速度ベクトル（１．１５）（図１０のサンプルを構築するのに用いたもの  図１１は、図１０に示す補充関数Ｅ（ｔ）のサンプルから、Ｐ（ｖ）を再構築する例をと同一、つまり、ｎ＝３２）を用いたアルゴリズムを適用している。
【０１２６】
図１２は、複峰性確率密度分布、
【数８０】
0004706003.tif 000081
ここで、
【数８１】
0004706003.tif 000082
の場合の再構築を示す図である。
【０１２７】
実際の実験による信号の場合にどのアルゴリズムが有効であるかを判断するため、次式、
【数８２】
0004706003.tif 000083
で構築したサンプルで試みてみる。ここで、Ｎ（ｔ）は、瞬間の信号と比較して１０％のエネルギ振幅を有するホワイト・ノイズ時系列信号である。
【０１２８】
図１３は、対数正規Ｐ（ｖ）の場合に（１．２３）で構築した「ノイズを含んだ」("noisy")サンプルの図である。図１４は、このノイズを含んだサンプルより得た、対数正規Ｐ（ｖ）の再構築を示す図である。
【０１２９】
図１４より、相対的に高いノイズを含む場合には精度が損なわれることが明らかである。よって、このような単一のステップによる方法は、ノイズが低いサンプルの場合には特に有用である。ノイズを含むサンプルに対しては、第２および第３のステップを備えた方法を完遂する方が有利である。その方法について、以下に説明する。先に第１のステップにおいて考察した際の速度の数ｎは、減少させている。
【０１３０】
＜第２および第３のステップの実行（ニューラル・ネットワーク）＞
ニューラル・ネットワークの基本的な対象は、ニューロン(neuron)である。シンプル・ニューロン(simple neuron)のモデルは、次のようにして記述することができる。スカラー入力ｕが送信され、スカラー重みｐで強度を積算する接続部を通り、積ｐ・ｕが求められる。この量もまたスカラーである。そして、ｐ・ｕの総和（サム）およびバイアスｂが、伝達関数ｇの項となる。この関数は、スカラー出力ａを生成する。一般に、伝達関数は、階段関数、もしくは、シグモイド関数、または、恒等関数（ｉｄ）である。
【０１３１】
ベクトル入力を備えるニューロンにおいては、入力ｕは、ベクトルｕ＝（ｕ１，．．．，ｕｎ）であり、ｐは、重みベクトルであり、内積ｐ・ｕは、バイアスｂを伴って総和され、伝達関数ｇの項を形成する。この関数は、図１５に示すように、スカラー出力ａを生成する。
【０１３２】
先に述べたニューロンの２つまたは３つ以上をレイヤ（ｌａｙｅｒ）において結合することができる。ニューラル・ネットワークは、このようなレイヤを１つまたは複数備えることができる。しかしながら、このような複雑なネットワークを詳細に考慮する必要性はない。実際には、ベクトル入力を備えたただ１つのニューロンで形成されたネットワークを用いれば十分である。ネット（ｎｅｔ）を、このようなタイプのネットワークとし、ｇ：＝ｉｄをその伝達関数とする。ネット（ｎｅｔ）は、Ｍａｔｌａｂ（登録商標）の関数ｎｅｗｌｉｎで作ることができる。
【０１３３】
ニューラル・ネットワークは、特定の入力に対し特定の出力を行うように重みおよびバイアスの値を調整することによって学習させることができる。よって、ネットワークであるネット（ｎｅｔ）の学習過程には、入力ベクトルｕ１，．．．，ｕｎ、および、対応する目標出力ベクトルａ＝（ａ１，．．．，ａｎ）が必要である。学習の際、ネットワークの重みおよびバイアスは、反復的に調整され、ネットワーク・パフォーマンス関数（ｎｅｔ．ｐｅｒｆｏｒｍＦｃｎ）は最小化される。ｎｅｗｌｉｎで作成される、デフォルトの、ネットワークのパフォーマンス関数は、平均二乗誤差（ｍｓｅ）であり、ネットワークの出力ｗ＝ｇ（ｐ・ｕ＋ｂ）＝ｉｄ（ｐ・ｕ＋ｂ）＝ｐ・ｕ＋ｂと目標出力ａとの間の平均２乗誤差は、次式で表わされる。
【数８３】
0004706003.tif 000084
【０１３４】
ｕｉは、次式、
【数８４】
0004706003.tif 000085
で表わされる列ベクトルと定義する。
ａは、次式、
【数８５】
0004706003.tif 000086
で表わされるベクトルと定義する。
【数８６】
0004706003.tif 000087
であるので、
【数８７】
0004706003.tif 000088
である。ここで、ｓｕｍ＿ｐｅｒｆ（ｐ）は、（１．１７）の定義に従う。
【０１３５】
上述のとおり、学習の際、ネットワークの重みおよびバイアスは、反復的に調整されて、ｍｓｅが最小化される。もし、バイアス値がゼロに初期化され、学習の間ずっとゼロに非常に近い値に保たれるのであれば、この最小化問題は、上述の第１のステップにおいて論じた問題（１．１８）ととても類似した最小化問題である。
【０１３６】
バイアス値の問題の他にも、解決すべき問題がある。それは、どのようにして重みを正もしくはゼロに制限するか、ならびに、どのようにして重みの初期推定を選定するか、である。これらについては、以下の手法を用いている。
１．  バイアス値：バイアス値は、初期化でゼロとし、５０回もしくは１００回のイタレーションでゼロにリセットする。
２．  重みの初期評価：先のセクションで説明したオプティマイゼーション・アルゴリズム（ｏｐｔｉｍｉｚａｔｉｏｎ  ａｌｇｏｒｉｔｈｍ）を、均一に分布した８つの速度ｖｅｉｇｈｔ＝（ｖｅｉｇｈｔ１，．．．，ｖｅｉｇｈｔ８）にのみ適用し、（１．１９）を用いて解析の第１のステップの為に、Ｐ（ｖｅｉｇｈｔ１），．．．，Ｐ（ｖｅｉｇｈｔ８）の８つの近似を求める。これら、速度領域における８つの値を３次の平滑化スプライン（Ｍａｔｌａｂ（登録商標）の関数ｃｓａｐｓ）でフィッティングし、均一に分布したｖ１，．．．，ｖｎにおけるこのスプラインを評価し、そして、最後に各値をｖｉ＋１−ｖｉで積算することで、解析の第２のステップの為に、重みに関しｎ個の初期評価を求める。ここで、ｎは、第１のステップで選択した値よりも大きな任意の値（例えば、図１６−１８の場合におけるｎ＝３２）でよい。一般的には、解析の第１のステップにおいて考慮する速度の初期の数は、４ないし１６であり、好ましくは、６ないし１０である。その一方で、第２のステップに対しては、考慮する速度の数は、８ないし６４であり、このましくは、１６ないし４８である。
３．  重みにかかる非負の制約：５０回もしくは１００回のイタレーション毎に、負の重みは全てゼロに置換する。
【０１３７】
これらの規則および学習のＭａｔｌａｂ（登録商標）の関数ｔｒａｉｎｇｄｘを用いることで非常に良好な結果を得ている。ｔｒａｉｎｇｄｘは、バッチ・グラジエント・デセント・モーメンタム（ｂａｔｃｈ  ｇｒａｄｉｅｎｔ  ｄｅｓｃｅｎｔ  ｍｏｍｅｎｔｕｍ）およびアダプティブ・ラーニング・レート（ａｄａｐｔｉｖｅ  ｌｅａｒｎｉｎｇ  ｒａｔｅ）に基づいて重みおよびバイアスの値を更新する。
【０１３８】
・  グラジエント・デセント(gradient descent)：グラジエント・デセント・アルゴリズムは、ネットワークの重みおよびバイアスを、パフォーマンス関数ｍｓｅが最も急速に減少する方向に、更新する。つまり、その方向は、グラジエントの反対の方向である。このアルゴリズムのイタレーションは、次式、
【数８８】
0004706003.tif 000089
と書くことができる。ここで、ＷＩは、現在の重みもしくは現在のバイアスのベクトルであり、ｇＩは、現在のグラジエントであり、αＩは、ラーニング・レート（学習率）である。
【０１３９】
・  バッチ・モード(batch mode)：バッチ・モードにおいては、ネットワークの重みおよびバイアスは、ネットワークに全ての学習セットが適用された後でのみ、更新される。
【０１４０】
・  グラジエント・デセント・ウィズ・モーメンタム(gradient descent with momentum)：モーメンタムは、グラジエント・デセント・アルゴリズムに追加することのできる手法の１つであって、ネットワークを、局所的グラジエントのみならず、誤差表面の最新の傾向に応答させることを可能にする。ローパス・フィルタのように機能し、モーメンタムによって、ネットワークは、誤差表面の小さな形態を無視することが可能となる。
【０１４１】
・  アダプティブ・ラーニング・レート(adaptive learning rate)：学習率（ラーニング・レート）を、学習過程において変更可能とすることで、グラジエント・デセント・アルゴリズムの性能を向上させることができる。
【０１４２】
さらに、ノイズによる負の影響を低減するために、メジアン・フィルタ（ｍｅｄｉａｎ  ｆｉｌｔｅｒ）（Ｍａｔｌａｂ（登録商標）の関数ｍｅｄｆｉｌｔ１）を、この新しいアルゴリズムを適用する前に、ノイズを含んだベクトルＥ’に適用する。
【０１４３】
その結果を、以下に示す。
【０１４４】
結果を示す前に、負の重みの全ておよび現在のバイアスを、５０回もしくは１００回のイタレーション毎にゼロに置換する利点を示し、停止の基準の理論的説明を行う。
【０１４５】
学習のためのイタレーションの間、パフォーマンス関数ｍｓｅの値が減少しているのに、アルゴリズムを停止させて負の重みの全ておよび現在のバイアスをゼロに置換すると、学習過程で得た関数の値が修正され、その結果、ｍｓｅが増加する。そのため、イタレーションは、大きな値のパフォーマンス関数で再開する。
【０１４６】
停止までのイタレーションの回数Ｊが小さすぎると、ｍｓｅが増加するまでに十分に減少せず、アルゴリズムに悪影響が及ぶ。
【０１４７】
経験的に得られていることだが、図１６ないし１８に示した特定の例においては、最適な結果を得るには、Ｊは、５０以上であることが好ましい。一般的には、Ｊ値は、少なくとも１０であることが望まれ、さらには、少なくとも２５であることがなおさらに望まれ、なおさらには、少なくとも５０以上で、例えば、２００までの値であって、例えば１００であることが望まれる。
【０１４８】
適用している停止基準について言えば、ｍｓｅの相対的変化量が、指定した許容値（トレランス）ｔｏｌを下回った場合に、停止する。ｍｓｅの相対変化量は各イタレーションで測定するものではなく、負の重みおよび現在のバイアスがゼロに置換された場合は常に行われることに注意されたい。そのため、総イタレーション数は常にＪの倍数である。
【０１４９】
ｖを用いて第１および第２のステップについて説明したが、ｖの代わりにτを用いて記述することも可能である。ｖの代わりにベクトルτを用いてサンプルＥ’を構成し、それをアルゴリズムを用いて解析する点のみ異なる。
【０１５０】
図１６、１７、および、１８は、それぞれ、ｎ＝３２、かつ、Ｊ＝２５、５０、および、１００で、同様のノイズを含んだＥ’（１０％ホワイト・ノイズ）から対数正規Ｐ（τ）（ｍ＝−０．２１９１、ｓ＝０．４５）を再構成した例を示す図である。いずれの場合であっても、アルゴリズムは、ｍｓｅの相対変化量が許容値ｔｏｌ＝０．０１を下回ったため、停止した。しかし、Ｊ＝２５の場合のｍｓｅの最終的な絶対値と、Ｊ＝５０、１００の場合のｍｓｅの最終的な絶対値との間には顕著な差違が見受けられる。表１は、ｍｓｅの初期値および最終値を示す。本表より、Ｊ＝２５としたある例は、Ｐ（τ）を再構築するのに十分な程にｍｓｅを減少させることができなかったことは明らかである。
表１．ｍｓｅの初期値および最終値
｜      初期ｍｓｅ  ｜      最終ｍｓｅ
――――――＋―――――――――＋――――――――
Ｊ＝２５    ｜  １１１．４３４  ｜  １２．５７６８
Ｊ＝５０    ｜  １１１．４３４  ｜    ０．５９２５
Ｊ＝１００  ｜  １１１．４３４  ｜    ０．４７２９
【０１５１】
式（１．２３）を用いて合成データＥ’を構築した場合、オフセット係数Ｏおよび振幅係数Ａには、それぞれ、所与の値を用いる。この場合、これら既知の値を、アルゴリズムの適用に際して使用することができる。あるいは、実データを取り扱う場合、Ｏ＝０と仮定してもよいが、振幅の値は未知である。Ａに関する第１の近似は、Ｅ’に関する漸近値を仮定して、求め、この値を解析に下折る。しかしながら、この方法は、本問題を取り扱ううえで完全に十分な方法とは言えない場合もある。そのため、実際例において本手法の効率を向上させるために、以下のような修正を加えることができる。
【数８９】
0004706003.tif 000090
で定義される
【数９０】
0004706003.tif 000091
を、ｐｅｒｆτ（ｔ）の修正式とする。
この修正により、補充関数は、次式、
【数９１】
0004706003.tif 000092
のように表わすことができる。
【０１５２】
ｐｅｒｆτ（ｔ）の代わりに、この新しい
【数９２】
0004706003.tif 000093
にアルゴリズムを適用することができる。今後、この新しいアルゴリズム変形例を、「ファイナル・アルゴリズム」("final algorithm")と称することにする。旧アルゴリズムとの差違は、Ｐ（τｉ）の代わりに、Ａ・Ｐ（τｉ）に関し
【数９３】
0004706003.tif 000094
の近似を求める点のみである。
【０１５３】
実際の振幅が既知である合成による例の場合、
【数９４】
0004706003.tif 000095
を、実際のＡ・Ｐ（τｉ）と比較することができる。また、確率密度関数が式（１．１４）を満足するので、
【数９５】
0004706003.tif 000096
に従う。
よって、Ａの近似は、次式、
【数９６】
0004706003.tif 000097
として得られる。
【０１５４】
図１９、２０は、ファイナル・アルゴリズムを用いて、それぞれ、Ｊ＝５０、１００、ｔｏｌ＝０．０１として、図１６、１７、１８と同じＥ’からＰ（τ）を再構築した例を示す図である。実際の振幅の値は、Ａ＝１００である。
【０１５５】
先に説明したことだが、ここでの目的は、Ｐ（ｖ）もしくは、等価的に、Ｐ（τ）の良好な近似を、その形式について何ら仮定を置かずに、求めることである。上記のファイナル・アルゴリズムによって求めた、幾つかの確率密度分布の再構築例を、以下に示す。これらは、全て１０％ホワイト・ノイズを含んでいる。
【０１５６】
図２１は、平均μ＝１２．５、分散σ２＝１１のガウシアンＰ（ｖ）、即ち、平均Ａ・Ｐ（ｖ）、Ｐ（ｖ）はガウシアン、Ｊ＝５０、ｔｏｌ＝０．０１、の、再構築を示す図である。
【０１５７】
図２２は、Ａ・Ｐ（ｖ）の再構築を示す図である。Ｐ（ｖ）は、ガウシアン、Ｊ＝１００、ｔｏｌ＝０．０１である。
【０１５８】
図２３は、台形状Ｐ（ｖ）の再構築を示す図である。つまり、Ａ・Ｐ（ｖ）の再構築であり、Ｐ（ｖ）は、台形、Ｊ＝５０、ｔｏｌ＝０．０１である。
【０１５９】
図２４は、Ａ・Ｐ（ｖ）の再構築を示す図である。Ｐ（ｖ）は、台形、Ｊ＝１００、ｔｏｌ＝０．０１である。
【０１６０】
図２５は、次式、
【数９７】
0004706003.tif 000098
で定義されるレイリー(Rayleigh)のＰ（ｖ）の再構築を示す図である。ここで、ｂ＝６である。つまり、Ａ・Ｐ（ｖ）の再構築であり、Ｐ（ｖ）は、レイリー、Ｊ＝５０、ｔｏｌ＝０．０１である。
【０１６１】
図２６は、Ａ・Ｐ（ｖ）の再構築を示す図である。Ｐ（ｖ）は、レイリー、Ｊ＝１００、ｔｏｌ＝０．０１である。
【０１６２】
図２７は、次式、
【数９８】
0004706003.tif 000099
で定義される複峰性のＰ（ｖ）の再構築を示す図である。ここで、
【数９９】
0004706003.tif 000100
である。
【０１６３】
この図２７は、Ａ・Ｐ（ｖ）の再構築を示す図であり、Ｐ（ｖ）は、複峰性、Ｊ＝５０、ｔｏｌ＝０．０１である。
【０１６４】
図２８は、Ａ・Ｐ（ｖ）の再構築を示す図である。Ｐ（ｖ）は、複峰性、Ｊ＝１００、ｔｏｌ＝０．０１である。
【０１６５】
図２７における再構築は、図２８に示すものほど良好ではない。実際観測したことだが、確率密度分布の場合は、対数正規分布やガウス分布よりもさらに複雑であり、Ｊ＝５０における本アルゴリズムの性能は、停止基準のためにより小さな許容値、例えば、ｔｏｌ＝０．００１とすることで、改善可能である。
【０１６６】
図２９は、Ａ・Ｐ（ｖ）の再構築を示す図である。Ｐ（ｖ）は、複峰性、Ｎ＝５０、ｔｏｌ＝０．００１である。
【０１６７】
図３０は、次式、
【数１００】
0004706003.tif 000101
で定義される複峰性のＰ（τ）の再構築を示す図である。ここで、
【数１０１】
0004706003.tif 000102
である。
【０１６８】
また、図３０は、Ａ・Ｐ（τ）の再構築を示す図である。Ｐ（τ）は、複峰性、Ｊ＝５０、ｔｏｌ＝０．０１である。
【０１６９】
図３１は、Ａ・Ｐ（τ）の再構築を示す図である。Ｐ（τ）は、複峰性、Ｊ＝１００、ｔｏｌ＝０．０１である。
【０１７０】
図３０に示す例においては、先の例と同様に、Ｊ＝５０での本アルゴリズムは、複峰性分布を精確に再構築していないことがわかる。本アルゴリズムの性能は、Ａ・Ｐ（τ）の再構築であってＰ（τ）が複峰性でありＪ＝５０、ｔｏｌ＝０．００１である図３２に示すような、停止基準に対するより小さな許容値を用いることで改善される。
【０１７１】
この場合、小さな許容値を用いることは、Ｊ＝５０での本アルゴリズムを改善させるうえで非常に有用である。しかし、一般的には、組織は非常に繊細であって、ｔｏｌ＝０．００１を用いれば、単純な分布の場合には精度が損なわれるおそれがある。この場合、ｔｏｌ＝０．０１で完璧な再構築が行われる。例えば、図２５は、Ｊ＝５０、ｔｏｌ＝０．０１を用いて得られたレイリー分布の非常に良好な再構築を示す。図３３は、Ｊ＝５０、ｔｏｌ＝０．００１を用いて得た、同一のＥ’からの同一のレイリー分布の再構築を示す。
【０１７２】
Ｊ＝５０での本アルゴリズムの例とは異なり、Ｊ＝１００を用いれば、許容値ｔｏｌ＝０．００１は、あらゆる種類の分布に対して小さすぎる。実際、複峰性分布に対する再構築の精度の劣化も観測されている。例えば、図３０ないし３２に示す複峰性に対し、Ｊ＝１００およびｔｏｌ＝０．００１を用いた再構築を図３４に示す。この図は、Ａ・Ｐ（τ）の再構築であり、Ｐ（τ）は、複峰性であり、Ｊ＝１００、ｔｏｌ＝０．００１である。
【０１７３】
このように、あらゆる種類の分布に対し、その形式に関する情報を一切仮定せずにＰ（ｖ）または、等価的には、Ｐ（τ）の良好な近似を求めるという目的は、達成された。したがって、関心領域における異常性の有無について、健常な組織を特徴付けている対数正規分布と、再構築した例とを比較することで、判断することが可能である。
【０１７４】
上述のファイナル・アルゴリズムのおかげで、１０％のホワイト・ノイズを含む合成データの場合では、良好な結果を得た。
【０１７５】
この新しい方法により、特に、単純に、求めた再構築例と健常な組織を特徴付けている速度分布とを比較することで、生理学的な異常性を検出することができる。この新しい方法により、補充信号を微分する必要性がない。この新しい方法は、特に、かなりの大きさのノイズを含んだデータであっても良好な結果を得ることができる。
【０１７６】
＜修正例＞
本方法およびシステムでは、上述の実施形態に関し多くの修正例がある。これらの修正例は、上述した以外の、数多くの潅流に関する値もしくは属性を決定するのに用いることができる。
【０１７７】
さらに、上述の、曲線フィッティングとニューラル・ネットワークの学習を行う、複数のステップからなる解析は、Ｓ形状以外の、破壊フレームのシークエンスの後のＵＣＡの注入下で求めた潅流関数を使用してもよい。その一例としては、調査対象の領域に到達した、ＵＣＡ大量瞬時投与に関する場合である。複数の流れ遷移時間が存在しており、エコー・パワー・ボーラス関数Ｅ（ｔ）は、エコー・パワー・関数Ｅｉ（ｔ）の総和であると考えることができ、それぞれは、流れ遷移時間τｉから決定される。この、基本大量瞬時投与関数Ｅｉ（ｔ）は、次式のような形式を備えることができる。
【数１０２】
0004706003.tif 000103
【０１７８】
図３５に示す例においては、対数正規分布を有する流れ遷移時間Ｃ（τｉ）を考慮している。ここで、パラメータｍおよびｓは、それぞれ、０．３１３および０．４に等しい。この先、それぞれＣ１＿ｐａｒｔ（τｉ）ないしＣ４＿ｐａｒｔ（τｉ）と称する、遷移時間の４つの下位部分分布(partial sub-distributions)を示す。図３６に示すように、この下位部分分布より決定される４つのエコー・パワー関数Ｅ１＿ｐａｒｔ（ｔ）ないしＥ４＿ｐａｒｔ（ｔ）の総和より得る、エコー・パワー関数Ｅ（ｔ）を考察するため、本解析法を適用し、対数正規遷移時間分布Ｃ（τ）を評価する。
【０１７９】
本発明により、エコー・パワー関数を解析することで、図３７に示すような元（オリジナル）の対数正規分布を評価することができる。
【０１８０】
＜超音波画像化システム＞
図３８は、本発明にかかる方法で使用可能な、一般的な医療用超音波画像化システムの主要要素を示すブロック図である。中央処理装置１および中央タイミング回路２の制御下、送信ビーム形成器およびパルス形成器３を用い、適当なＴｘ／Ｒｘ（送信／受信）マルチプレクサ４を介し、励起信号を、複数の素子を有する超音波プローブ５に与える。伝播媒体内における超音波の反射が生じ、プリ・アンプリファイアおよび予備的タイム−ゲイン補正部６を通してエコー信号を処理する。通例、これら受信信号は、Ａ／Ｄ変換器により、アナログ電圧からデジタル値へ変換され、受信ビーム形成器７を通して集中的受信信号(focused receive signals)に統合される。デジタル・フィルタ８（例えば、バンド・パス・フィルタ）を通して処理され、また、その他の信号調整器９（例えば、ポスト・ビーム形成用ＴＧＣ）を通して処理され、デジタル高周波（無線周波）（ｒｆ）信号１０は、復調器１１で処理され、エコーエンベロープの振幅に比例した信号が生成され、さらにプローブ形状およびビームのスキャン・シークエンスを勘案した非線形的な処理を、スキャン・コンバータ１３に書き込む前に行う。スキャン変換信号は、任意で再び（後処理器１４で）圧縮し、映像の標準的な信号に変換される。この映像信号は、アナログ形式（この場合、記憶部１６は、映像記録設備である。）または、例えばコンピュータ・ファイルのようなデジタル形式（この場合、記憶部１６は、ハード・ディスクである。）のいずれかで、映像表示部１５に表示し、かつ／または、記憶部１６に記憶することができる。このようにして得た画像は、次に、下文に示すようにして本発明により処理される。
【０１８１】
本発明による方法の実施に際し、このような超音波画像化システムを用いる場合、本発明による再潅流の動力学の分析に用いる信号は、振幅高感度モード（例えば、ハーモニックＢモード、パルス・インバージョン、もしくは、パワー・モジュレーション・マルチパルス・モード、または、その他のコーデッド・エキサイテーションもしくはデモジュレーションのシングルパルスもしくはマルチパルス・モードといった）において例えば、微小胞の非線形音響応答性を利用した、造影剤に固有の検出スキームで求めるのが好ましい。あるいは、再潅流の動力学の解析に用いる信号は、（例えば、ハーモニック・パワー・ドップラー、デコリレーション・イメージング、もしくはその他の、微小胞の位置もしくは音響応答性の変化により連続した励起パルスの反応で生じる応答の変化を利用したモードといった）ドップラー・モードでの造影剤に固有の検出スキームで求めてもよい。
【０１８２】
＜流速評価のためのシステム／方法＞
図３９は、本発明による、パラメータによる流れ画像化の一例における流れ評価方法を実施するためのシステムの主要な機能的要素を示すブロック図である。破壊後のＵＣＡの再潅流が含まれたＢモード画像のシークエンスが記録されたコンピュータ・ファイル２１（例えば、図３８のデジタル・ファイル・記憶部１６）から出発し、画像値には、使用した超音波設備に特有の対数圧縮もしくはその他の非線形的ゲイン・データ２３に基づいて、適当な線形化２２処理が施され、局所的ＵＣＡ濃度に比例したデータが生成される。時系列データは、本発明による最適フィット方法２４により調整され、上述した、予想される潅流則を記述したパラメータ方程式に対し、適合される。これらパラメータの物理的解釈２５には、例えばＴｘ／Ｒｘビーム感度データ、および、気泡破壊区域厚さＤといった、超音波設備からの入力データ２６が必要である。最適フィット・パラメータによって、平均流速データ、平均遷移時間分布評価、もしくは、その他の流れの特性の計算が可能となり、これらは、スキャン・コンバージョン・メモリ２７において周知のグレースケールもしくは疑カラー・コーディングでマッピングされ、さらに、任意的に、Ｂモードもしくは二次元ドップラー・データと重ね合わされ、映像表示部２８に表示され、または、デジタルもしくはアナログ形式で記憶される（図示せず）。
【０１８３】
本発明のよるシステムの機能的要素は、コンピュータにロードすることで、自動的もしくは手動的制御下で再潅流における局所的な物質濃度に比例した信号と、対応するＳ形状特性を有する時間の関数とを関係付けするように動作するプログラムとして記憶させることが可能である。使用する数学的関数は、例えば、Ｍａｔｌａｂのカーブ・フィッティング・ツールボックス（Ｃｕｒｖｅ  Ｆｉｔｔｉｎｇ  Ｔｏｏｌｂｏｘ）を用いて実現することが可能である。このプログラムは、さらに、記録したエコー信号の振幅を処理し、信号を微小胞の局所的濃度と比例するようにする手段を備えることが好ましく、この手段は、システムのコンピュータにロードされ、自動的もしくは手動的制御下で、処理された信号をＳ形状パラメータ関数に適合もしくは関連付けする前に、先述の振幅の処理を実行する。また、本プログラムは、自動的もしくは手動的制御下で、Ｓ形状特性を有する関数の少なくとも１つのパラメータの少なくとも１つの値と、局所的組織潅流の値もしくは属性の少なくとも１つとを対応付けするための手段を有することが好ましい。このフィッティングは、例えば、先述の信頼領域法を用いて計算することができる。これらの主要な機能性は両方とも、自動的もしくは半自動的に、使用者による制御を可能にする適切なユーザ・インターフェースを備えて、実現することが可能である。
【０１８４】
選択した関心領域内における組織の潅流の評価は、研究を実行中の使用者、または、本システムのプログラムに組み込まれた自動境界描写もしくはその他の解剖学的な器官の形態に基づき、自動化手段が決定可能である。二次元的映像要素、もしくは、ピクセルについて個別的に潅流値が評価されれば、これらの値を、パラメータ画像として観察モニタに表示可能である。この場合、ピクセルのグレースケール輝度もしくは演色（カラー・レンダリング）は、局所的に評価されたパラメータ個々の値もしくはそれらの組み合わせに基づいてコード化される。さらに、本システムのプログラムは、二次元的映像要素群（グループ）、もしくは、複数ピクセルについて潅流値を評価可能である。この群（グループ）は、群に含まれるピクセルに対して得られたパラメータが実質的に１つの値を有するように、局所的な画像解像度に基づいて決定される。通例、潅流値をピクセルの群（グループ）内で評価すれば、これらの群（グループ）は、超音波機器の局所的スペックル・パターンから、実質的には（自動的に）決定可能である。ピクセルの群（グループ）の大きさは、局所的な超音波検査画像の二次元空間フーリエ解析から求めることができ、その大きさは、局所的に存在する最大の有意な空間周波数に逆比例する。これらは全て、システムのプログラムにより自動的に、または、使用者の制御下で計算される。本プログラムは、最後の破壊用超音波パルスと、Ｓ形状関数が、破壊用超音波パルスを適用する直前の濃度値の２分の１の物質（造影剤）濃度に等しい振幅に達した瞬間との間の時間経過から、流れパラメータを評価可能である。
【０１８５】
また、本システムのプログラムは、平均局所的血流速度を計算することもできる。これは、微小胞が破壊されたスライスの厚さの半分(one-half the thickness of the slice)を、最大濃度の半分に到達する時間で割った比で表わされる。このために、本プログラムは、画像化面に垂直な方向における、微小胞が破壊されるスライスの厚さの近似値を、送信ビームの高さ方向の幅から求めることができる。
【０１８６】
本システムのプログラムは、破壊パルス後、長時間を経た時間値に対し、Ｓ形状関数の漸近値として、定常状態物質（造影剤）濃度レベルを計算することができる。また、この濃度レベルは、破壊パルスの直前での値から採ることもできる。
【０１８７】
本システムのプログラムは、Ｓ形状関数を、上記にて詳述したように、累積正規確率分布関数、シグモイド関数、累積正規確率分布関数の多項式近似、多項形式による限定的展開を含んだパラメータ式、または、累積対数正規確率分布関数によるパラメータ式、として計算可能である。ある実施形態においては、本システムのプログラムは、Ｓ形状関数を、累積正規確率分布関数の総和（サム）もしくは積分（インテグラル）によるパラメータ式として計算する。この累積正規確率分布関数は、流速もしくは遷移時間の対数正規確率分布で重み付けされ、またその最適フィット・パラメータ値は、平均（ミーン）、分散（バリアンス）、および、歪度（スキューネス）と同様、器官における潅流の物理的な量を表わしている。
【０１８８】
流速値を、再潅流関数の、平滑化した、もしくは、フィルタをかけた変形関数を用いて評価し、定常状態のエコー・パワー振幅の半値に到達するための時間を評価可能である。
【０１８９】
局所的濃度に比例した信号を、パラメータ・フィッティング関数を用いて適合化させる前にローパス・フィルタもしくはその他の平滑化関数で処理することは有利である。線形化を行う代わりに、局所的濃度に比例した信号を、超音波検査機器において適用されたものと同一の性質を有する非線形関数で修正したパラメータ・フィッティング関数に適合化させることも可能である。
【０１９０】
先に図９ａないしｄを参照して詳述したように、エコー・パワー・データを、ウェーブレットで分解する方法により解析し、異なる流れ遷移時間もしくは速度における寄与の分布を評価可能である。このために、局所的濃度に比例した信号は、ウェーブレットで分解する方法で解析する前に、先ず、ローパス・フィルタもしくは平滑化をかけることが好ましい。これにより、ウェーブレットで分解する方法で解析する前に２回、微分可能となる。ウェーブレットの手法においては、分解に用いるマザー・ウェーブレットは、例えば、単一の流れ値に対する再潅流関数を記述するのに用いた累積正規分布関数の２次時間導関数である。
【０１９１】
さらに、もしくは、あるいは、エコー・パワー・データを、１つのステップもしくは複数のステップからなる処理過程を用いて解析し、異なる流れ遷移時間もしくは速度における寄与の分布を評価する。第１のステップにおいては、流れ遷移時間もしくは速度の第１のセットを選択し、複数のＳ形状関数の線形結合と、エコー・パワー・データとの最適フィットを行って第１の評価を求める。そして、第１の評価を第２のセットを決定する基準として用い、流れ遷移時間もしくは速度の第２のセットに対して第２の評価が行われる。そして次に、第２の評価を用いて第３の評価を行うための、初期値のセットを決定する。
【０１９２】
例えば、第２の評価は、３次のスプライン補外を用いて行うことができる。また、第３の評価は、ニューラル・ネットワーク解析を用いて行うのが有利である。この場合、ニューラル・ネットワークのバイアス値および負の重みは、定期的に（例えば、適合化における５０ないし１００回のイタレーション毎に）ゼロにリセットすることが好ましい。第１の評価は、比較的少数のＳ形状関数、通常は高々１６、好ましくは高々８つのＳ形状関数を用いて行うことができる。第２の評価は、さらに多くの数の流れ遷移時間もしくは速度、例えば、少なくとも８つ、好ましくは１６の流れ遷移時間もしくは速度のセットを用いて行うことができる。
【０１９３】
また、局所的濃度に比例した信号を、高周波（無線周波数）エコー信号（つまり、図３８における１０）から、例えば復調エコー信号をスクエアリング(squaring)することで導出可能である。あるいは、対数圧縮した後の映像エコー信号へ、対数圧縮の逆の効果を与える逆対数圧縮を施して、それより局所的濃度に比例した信号を導出し、これらの信号をスクエアリング(squaring)する。ある実施形態においては、局所的濃度に比例した信号は、振幅高感度モード（例えば、ハーモニックＢモード、パルス・インバージョン、もしくは、パワー・モジュレーション・マルチパルス・モード、または、その他のコーデッド・エキサイテーションもしくはデモジュレーションのシングルパルス、もしくは、マルチパルス・モードといった）における微小胞の非線形音響応答性を利用した、造影剤に固有の検出スキームにより求める。
【０１９４】
本システムのプログラムは、１つもしくは複数の、画像化システムのコンピュータにロード可能な、１つもしくは複数のモジュールで提供可能である。これにより、使用者の制御下に於いて、自動的もしくは半自動的な本発明の方法の実施が可能である。本願に記載の処理ステップを実行するための数学的関数を全て、自動化することができる。
【０１９５】
本プログラムは、一般に、ＣＤ−ＲＯＭ、ＤＶＤ、または、その他のコンピュータ読取り可能な媒体を介して提供される。あるいは、本プログラムを、ハード・ディスクにプリ・ロード（事前搭載）、ネットワークを通じてコンピュータに送信、もしくは、放送により提供してもよい。さらに一般的には、コンピュータのワーキング・メモリへ直接的にロードするあらゆる形態により提供される。しかしながら、本発明による方法は、ハードウェア的構造体（例えば、半導体材料のチップへの集積）、もしくは、ソフトウェアおよびハードウェアの協働により実行することができる。
【０１９６】
さらに、上記の本プログラムは、既存の超音波画像化システムにおいて使用することを目的としたスタンドアロンの製品として市場に供することにも適する。例えば、本プログラムを、システムに組み込まれたコンピュータ、または、別個のスキャナより供されるエコー信号のシークエンスを（例えば、リムーバブル・ディスク、通信線、無線接続を通じて）受信する外部コンピュータ上で使用することができる。
【実施例１】
【０１９７】
＜例＞
本願開示の発明の、インビボ適用可能性を示すため、膨張性動脈内バルーンを用いてミニブタの腎臓に人工的閉塞（狭窄）を作成した。造影剤には、ＳｏｎｏＶｕｅ（登録商標）（ブラッコ・イメージング（Ｂｒａｃｃｏ  Ｉｍａｇｉｎｇ  Ｓ．ｐ．Ａ．））を用い、静脈内へ、１ｍＬ毎分の一定の注入速度で投与した。超音波画像化設備には、パルス・インバージョン・コントラスト−スペシフィックＢモード画像化でＣ５−２コンベックス・プローブを用いたＳＴＬ／Ｐｈｉｌｉｐｓ（ワシントン州、ボセル(Bothell, WA)）のＨＤＩ−５０００を用いた。ＵＣＡ破壊／補充画像のシークエンスが、記録され、コンピュータに送信され、再潅流分析に供された。グレースケール・リニアライゼーションが可能なビデオ・デンシトメトリ・プログラムを用い、腎皮質に２つの関心領域を設定した。第１の領域、ＡＯＩ−１は、正常に潅流している腎皮質内に設定し、それに対し、もう一つの領域、ＡＯＩ−２は、皮質の低潅流領域に設定した。気泡は下位フレームを適用してからの１０秒間におけるＡＯＩ−１およびＡＯＩ−２に対する、線形化したビデオ・デンシトメトリのデータ・ポイントをそれぞれ、図４０ａおよび図４０ｂに示す。それぞれのグラフにおいて、最適フィットのｌｏｇｐｅｒｆエネルギ関数、Ｅ（ｔ）を実線で示す。これら２つのＡＯＩに対する、最も適当な最適フィット・パラメータはＡＯＩ−１およびＡＯＩ−２についてそれぞれ、Ａ＝５９．５、および、Ａ＝０．６２、τ＝１．２５ｓおよびτ＝３．１ｓであった。これら２つの領域では、Ｄ値は６ｍｍおよび８ｍｍであって、横方向流速ｖｙはそれぞれ、２．４ｍｍ／ｓおよび０．９７ｍｍ／ｓである。相対流量は、Ａとｖｙの積で求まり、よって、ＡＯＩ−１およびＡＯＩ−２ではそれぞれ、１４２．８および０．６なる値である。これより、これら２つの皮質領間では、非常に大きな流れの違いがあることが示唆されている。
【０１９８】
当然のことながら、部分的もしくは特定の要請を満たすために当業者が、本願記載の手法に様々な修正および変更を加えようとも、それらは、クレームの規定する本発明の保護範囲に含まれる。
【図面の簡単な説明】
【０１９９】
【図１ａ】超音波トランスデューサからの音響ビームの投射を示す図である。
【図１ｂ】高さ方向に関する超音波画像化機器のビーム感度分布のグラフの典型例である。
【図２】破壊の生じた区域における再潅流の、造影剤の信号パワーのＳ形状関数を示すグラフである。本発明による方法では、このようなＳ形状関数を用いる。
【図３ａ】本発明のある実施形態よる、インビトロ設定における実験記録を累積対数正規分布関数でフィットした、破壊後の、エコー・パワー関数のグラフである。
【図３ｂ】本発明のある実施形態よる、インビトロ設定における実験記録を累積対数正規分布関数でフィットした、破壊後の、エコー・パワー関数のグラフである。
【図４ａ】従来技術による単一指数関数フィットと、それに対応する本発明の方法による評価を用いた流速評価のグラフである。
【図４ｂ】従来技術による単一指数関数フィットと、それに対応する本発明の方法による評価を用いた流速評価のグラフである。
【図５ａ】２つの流れ遷移時間の対数正規確率分布関数のグラフである。
【図５ｂ】２つの流れ遷移時間の対数正規確率分布関数のグラフである。
【図６ａ】図５ａおよび図５ｂに示すような流れの分布で生じるＳ形状エコー・パワー再潅流関数のグラフである。本発明の別の実施形態において有用である。
【図６ｂ】図５ａおよび図５ｂに示すような流れの分布で生じるＳ形状エコー・パワー再潅流関数のグラフである。本発明の別の実施形態において有用である。
【図７ａ】本発明のさらに別の実施形態による、インビトロ設定における実験記録を、遷移時間のＳ形状対数正規分布による再潅流関数の総和（サム）(sum)でフィットした、破壊後の、エコー・パワー関数のグラフである。
【図７ｂ】本発明のさらに別の実施形態による、インビトロ設定における実験記録を、遷移時間のＳ形状対数正規分布による再潅流関数の総和（サム）(sum)でフィットした、破壊後の、エコー・パワー関数のグラフである。
【図８】図７に示すデータに対する最適フィットとして求まる対数正規遷移時間分布のグラフである。
【図９ａ】他の実施形態における、再潅流関数のウェーブレットによる分解の過程を示すグラフである。個々の流れの寄与毎の分布で表わしている。
【図９ｂ】他の実施形態における、再潅流関数のウェーブレットによる分解の過程を示すグラフである。個々の流れの寄与毎の分布で表わしている。
【図９ｃ】他の実施形態における、再潅流関数のウェーブレットによる分解の過程を示すグラフである。個々の流れの寄与毎の分布で表わしている。
【図９ｄ】他の実施形態における、再潅流関数のウェーブレットによる分解の過程を示すグラフである。個々の流れの寄与毎の分布で表わしている。
【図１０】エコー・パワー・データを分析して異なる流れ遷移時間または速度における寄与の分布を評価する分析のグラフである。これは、１つのステップからなる処理または複数のステップからなる処理の第１のステップである。
【図１１】エコー・パワー・データを分析して異なる流れ遷移時間または速度における寄与の分布を評価する分析のグラフである。これは、１つのステップからなる処理または複数のステップからなる処理の第１のステップである。
【図１２】エコー・パワー・データを分析して異なる流れ遷移時間または速度における寄与の分布を評価する分析のグラフである。これは、１つのステップからなる処理または複数のステップからなる処理の第１のステップである。
【図１３】エコー・パワー・データを分析して異なる流れ遷移時間または速度における寄与の分布を評価する分析のグラフである。これは、１つのステップからなる処理または複数のステップからなる処理の第１のステップである。
【図１４】エコー・パワー・データを分析して異なる流れ遷移時間または速度における寄与の分布を評価する分析のグラフである。これは、１つのステップからなる処理または複数のステップからなる処理の第１のステップである。
【図１５】ニューラル・ネットワークを示す図である。
【図１６】エコー・パワー・データを分析して異なる流れ遷移時間または速度における寄与の分布を評価する分析のグラフである。これは、複数のステップからなる処理の後続のステップである。
【図１７】エコー・パワー・データを分析して異なる流れ遷移時間または速度における寄与の分布を評価する分析のグラフである。これは、複数のステップからなる処理の後続のステップである。
【図１８】エコー・パワー・データを分析して異なる流れ遷移時間または速度における寄与の分布を評価する分析のグラフである。これは、複数のステップからなる処理の後続のステップである。
【図１９】エコー・パワー・データを分析して異なる流れ遷移時間または速度における寄与の分布を評価する分析のグラフである。これは、複数のステップからなる処理の後続のステップである。
【図２０】エコー・パワー・データを分析して異なる流れ遷移時間または速度における寄与の分布を評価する分析のグラフである。これは、複数のステップからなる処理の後続のステップである。
【図２１】エコー・パワー・データを分析して異なる流れ遷移時間または速度における寄与の分布を評価する分析のグラフである。これは、複数のステップからなる処理の後続のステップである。
【図２２】エコー・パワー・データを分析して異なる流れ遷移時間または速度における寄与の分布を評価する分析のグラフである。これは、複数のステップからなる処理の後続のステップである。
【図２３】エコー・パワー・データを分析して異なる流れ遷移時間または速度における寄与の分布を評価する分析のグラフである。これは、複数のステップからなる処理の後続のステップである。
【図２４】エコー・パワー・データを分析して異なる流れ遷移時間または速度における寄与の分布を評価する分析のグラフである。これは、複数のステップからなる処理の後続のステップである。
【図２５】エコー・パワー・データを分析して異なる流れ遷移時間または速度における寄与の分布を評価する分析のグラフである。これは、複数のステップからなる処理の後続のステップである。
【図２６】エコー・パワー・データを分析して異なる流れ遷移時間または速度における寄与の分布を評価する分析のグラフである。これは、複数のステップからなる処理の後続のステップである。
【図２７】エコー・パワー・データを分析して異なる流れ遷移時間または速度における寄与の分布を評価する分析のグラフである。これは、複数のステップからなる処理の後続のステップである。
【図２８】エコー・パワー・データを分析して異なる流れ遷移時間または速度における寄与の分布を評価する分析のグラフである。これは、複数のステップからなる処理の後続のステップである。
【図２９】エコー・パワー・データを分析して異なる流れ遷移時間または速度における寄与の分布を評価する分析のグラフである。これは、複数のステップからなる処理の後続のステップである。
【図３０】エコー・パワー・データを分析して異なる流れ遷移時間または速度における寄与の分布を評価する分析のグラフである。これは、複数のステップからなる処理の後続のステップである。
【図３１】エコー・パワー・データを分析して異なる流れ遷移時間または速度における寄与の分布を評価する分析のグラフである。これは、複数のステップからなる処理の後続のステップである。
【図３２】エコー・パワー・データを分析して異なる流れ遷移時間または速度における寄与の分布を評価する分析のグラフである。これは、複数のステップからなる処理の後続のステップである。
【図３３】エコー・パワー・データを分析して異なる流れ遷移時間または速度における寄与の分布を評価する分析のグラフである。これは、複数のステップからなる処理の後続のステップである。
【図３４】エコー・パワー・データを分析して異なる流れ遷移時間または速度における寄与の分布を評価する分析のグラフである。これは、複数のステップからなる処理の後続のステップである。
【図３５】上述した１つのステップまたは複数のステップからなる処理の別の用途を示す図である。
【図３６】上述した１つのステップまたは複数のステップからなる処理の別の用途を示す図である。
【図３７】上述した１つのステップまたは複数のステップからなる処理の別の用途を示す図である。
【図３８】一般的な医療用超音波画像化システムの主要要素を示すブロック図である。
【図３９】本発明による、パラメータによる流れの画像化の一例における流れ評価方法／システムの主要な機能的要素を示す図である。
【図４０ａ】２つの関心領域に対する補充関数の実験結果を示す。腎皮質の正常な潅流の領域である。
【図４０ｂ】２つの関心領域に対する補充関数の実験結果を示す。腎皮質の低潅流の領域である。
【符号の説明】
【０２００】
１  ：  中央処理装置
２  ：  システム・タイミング
３  ：  Ｔｘビーム形成器およびパルス形成器
４  ：  Ｔｘ／Ｒｘマルチプレクサ
５  ：  超音波プローブ
６  ：  ＲｘＴＧＣおよびプリアンプ
７  ：  ＲｘＡ／Ｄコンバータおよびビーム形成器
８  ：  デジタル・フィルタ
９  ：  その他の信号調整器
１０  ：  デジタルｒｆエコー信号
１１  ：  デジタル復調器
１２  ：  対数圧縮前処理部
１３  ：  スキャン・コンバータ
１４  ：  オプションの後処理用圧縮器
１５  ：  映像表示部
１６  ：  画像記憶部
【図１ａ】
0004706003.tif 000104
【図３ａ】
0004706003.tif 000105
【図３ｂ】
0004706003.tif 000106
【図４ａ】
0004706003.tif 000107
【図４ｂ】
0004706003.tif 000108
【図７ａ】
0004706003.tif 000109
【図７ｂ】
0004706003.tif 000110
【図１１】
0004706003.tif 000111
【図１２】
0004706003.tif 000112
【図１４】
0004706003.tif 000113
【図１６】
0004706003.tif 000114
【図１７】
0004706003.tif 000115
【図１８】
0004706003.tif 000116
【図１９】
0004706003.tif 000117
【図２０】
0004706003.tif 000118
【図２１】
0004706003.tif 000119
【図２２】
0004706003.tif 000120
【図２３】
0004706003.tif 000121
【図２４】
0004706003.tif 000122
【図２５】
0004706003.tif 000123
【図２６】
0004706003.tif 000124
【図２７】
0004706003.tif 000125
【図２８】
0004706003.tif 000126
【図２９】
0004706003.tif 000127
【図３０】
0004706003.tif 000128
【図３１】
0004706003.tif 000129
【図３２】
0004706003.tif 000130
【図３３】
0004706003.tif 000131
【図３４】
0004706003.tif 000132
【図３８】
0004706003.tif 000133
【図３９】
0004706003.tif 000134
【図４０ａ】
0004706003.tif 000135
【図４０ｂ】
0004706003.tif 000136
【図１ｂ】
0004706003.tif 000137
【図２】
0004706003.tif 000138
【図５ａ】
0004706003.tif 000139
【図５ｂ】
0004706003.tif 000140
【図６ａ】
0004706003.tif 000141
【図６ｂ】
0004706003.tif 000142
【図８】
0004706003.tif 000143
【図９ａ】
0004706003.tif 000144
【図９ｂ】
0004706003.tif 000145
【図９ｃ】
0004706003.tif 000146
【図９ｄ】
0004706003.tif 000147
【図１０】
0004706003.tif 000148
【図１３】
0004706003.tif 000149
【図１５】
0004706003.tif 000150
【図３５】
0004706003.tif 000151
【図３６】
0004706003.tif 000152
【図３７】
0004706003.tif 000153